(57)【要約】  次世代ノードＢ（ｅＮＢ）へ送信される不一致のチャネル品質インジケータ（ＣＱＩ）推定値の数を低減するために、異種ネットワークに関して、ランク・インジケータ及びＣＱＩの推定及び報告機能が説明される。ＣＱＩは、ＣＱＩが調整されるランク・インジケータが、ＣＱＩが推定されるサブフレームと異なるサブフレーム・タイプからである場合、不一致であると定義される。
2013542672.tif 000002
【特許請求の範囲】
【請求項１】
無線通信のための方法であって、
リソースに関連付けられた複数のチャネル・プロパティを報告するためにユーザ機器（ＵＥ）において複数のパラメータ値を受信することと、
前記複数のパラメータ値のうちのパラメータ値の第１のセットを用いて、第１のチャネル・プロパティに関する前記複数のチャネル・プロパティのうちのチャネル・プロパティの第１のセットを推定することと、
前記複数のパラメータ値のうちのパラメータ値の第２のセットを用いて、第２のチャネル・プロパティに関する前記複数のチャネル・プロパティのうちのチャネル・プロパティの第２のセットを推定することであって、前記複数のチャネル・プロパティのうちの前記第１のセット及び前記第２のセットを推定することは同時に実行される、ことと、
前記複数の推定されたチャネル・プロパティを関連付けられた次世代ノードＢ（ｅＮＢ）へ送信することと
を備える方法。
【請求項２】
前記複数のパラメータ値は、周期及びオフセットのうちの少なくとも１つを含む、請求項１に記載の方法。
【請求項３】
前記パラメータ値の第１のセットは、クリーン・インタレースに関して前記チャネル・プロパティの第１のセットを推定することを設定する、請求項１に記載の方法。
【請求項４】
前記パラメータ値の第２のセットは、非クリーン・インタレースに関して前記チャネル・プロパティの第２のセットを推定することを設定する、請求項３に記載の方法。
【請求項５】
クリーン・インタレースのための前記チャネル・プロパティの第１のセットの推定を設定する前記パラメータ値の第１のセットは、インタレース期間の倍数である報告周期を含む、請求項３に記載の方法。
【請求項６】
同一のサブフレームにおいて送信するためにスケジュールされた前記チャネル・プロパティの第１の及び第２のセットの送信コリジョンを検出することと、
前記同一のサブフレーム中に送信するために前記チャネル・プロパティの第１の及び第２のセットのうちの１つを決定することと
を更に備える、請求項１に記載の方法。
【請求項７】
前記決定することは、
前記チャネル・プロパティの第１のセットを選択することと、
前記チャネル・プロパティの第１及び第２のセットのうちのクリーン・サブフレームから推定された１つを選択することと、
前記ＵＥの設定に従って、前記推定されたチャネル・プロパティの第１及び第２のセットのうちの１つを選択することと、
前記関連付けられたｅＮＢから受信されたコリジョン・パラメータに従って、前記推定されたチャネル・プロパティの第１及び第２のセットのうちの１つを選択することと
のうちの１つを備える、請求項６に記載の方法。
【請求項８】
前記推定されたチャネル・プロパティは、
ランク・インジケータ（ＲＩ）、
チャネル品質インジケータ（ＣＱＩ）、及び
前符号化マトリクス・インジケータ（ＰＭＩ）
のうちの１つ又は複数を備える、請求項１に記載の方法。
【請求項９】
前記チャネル・プロパティは、少なくとも、ランク・インジケータ及びチャネル品質インジケータ（ＣＱＩ）を含み、
前記複数のパラメータ値を受信することは、
ランク・インジケータ推定処理及びＣＱＩ推定処理への報告期間の割当てを受信することと、
前記ランク・インジケータ推定処理への第１の報告オフセットの割当てを受信することと、
前記ＣＱＩ推定処理への第２の報告オフセットの割当てを受信することと、
前記ＣＱＩ推定処理への第３の報告オフセットの割当てを受信することと
を備え、前記第２の報告オフセットと結合された場合、前記第３の報告オフセットは、前記第１の参照サブフレームから推定されたＣＱＩを、前記第１の参照サブフレームから推定されたランク・インジケータとは異なるサブフレームで報告させ、
前記チャネル・プロパティの第１のセットを推定することは、前記ＵＥにおけるランク推定処理を用いてランク・インジケータを推定することを備え、
前記チャネル・プロパティの第２のセットを推定することは、ＣＱＩ推定処理を用いて前記ＣＱＩを推定することを備え、前記ランク・インジケータと前記ＣＱＩとの両方が第１の参照サブフレームから推定され、
前記複数の推定されたチャネル・プロパティを送信することは、
前記報告期間及び前記第１の報告オフセットに従って、前記ＵＥにサービス提供しているｅＮＢへ前記ランク・インジケータを送信することと、
前記報告期間、前記第２の報告オフセット、及び前記第３の報告オフセットに従って、前記ｅＮＢへ前記ＣＱＩを送信することと
を備える、請求項１に記載の方法。
【請求項１０】
前記チャネル・プロパティは、少なくとも、ランク・インジケータ及びチャネル品質インジケータ（ＣＱＩ）を含み、
前記複数のパラメータ値を受信することは、
インタレース期間の整数倍ではない、レート・インジケータ推定処理のためのレート・インジケータ報告周期の割当てを受信することと、
前記レート・インジケータ報告周期よりも小さい前記ＣＱＩ報告周期の割当てを受信することと
を備え、
前記複数の推定されたチャネル・プロパティを送信することは、
現在報告されたランク・インジケータにおいて調整された第１のＣＱＩを前記ｅＮＢへ報告することと、
以前報告されたランク・インジケータにおいて調整された第２のＣＱＩを前記ｅＮＢへ報告することと、
前記現在報告されたランク・インジケータにおいて調整された第３のＣＱＩを前記ｅＮＢへ報告することと、
以前用いられたランク・インジケータのタイプの反対である、反対のランク・インジケータにおいて調整された後続ＣＱＩを前記ｅＮＢへ報告することと
を備える、請求項１に記載の方法。
【請求項１１】
前記複数のパラメータ値を受信することは、第１の参照サブフレーム・タイプと第２の参照サブフレーム・タイプとの間でランク・インジケータ報告が交互になるように割当てを受信することを備え、
更に、
インタレース期間における複数の静的なインタレース・サブフレーム割当てを識別する半静的リソース分割情報（ＳＲＰＩ）を受信することと、
前記ＳＲＰＩを用いて、ランク・インジケータを推定するために識別される、前記第１の参照サブフレーム・タイプである第１の参照サブフレームを識別することと、
前記ＳＰＲＩを用いて、次のランク・インジケータを推定するために識別される、前記第２の参照サブフレーム・タイプである次のサブフレームを識別することと、
前記ＳＲＰＩを用いて、前記第１の参照サブフレーム・タイプに関連付けられたＣＱＩを推定するために識別される、前記第１の参照サブフレーム・タイプである第１のチャネル品質インジケータ（ＣＱＩ）及び対応するランク・インジケータを識別することと、
前記第２の参照サブフレーム・タイプに関連付けられた次のＣＱＩを推定するために識別される、前記第２の参照サブフレーム・タイプである次のＣＱＩサブフレーム及び次の対応するランク・インジケータを識別することと
を更に備える、請求項１に記載の方法。
【請求項１２】
複数の適応的に割り当てられたサブフレームのサブフレーム・タイプを決定するために、前記インタレース期間の前記複数の適応的に割り当てられたサブフレームを復号することを更に備え、前記識別することは、前記複数の適応的に割り当てられたサブフレームに関して決定された前記サブフレーム・タイプも用いる、請求項１１に記載の方法。
【請求項１３】
前記チャネル・プロパティは、少なくとも、ランク・インジケータ及びチャネル品質インジケータ（ＣＱＩ）を含み、
前記複数のパラメータ値を受信することは、
前記ＵＥに、第１の参照サブフレーム・タイプのサブフレームに関してのみランク・インジケータを報告するように指示するランク・インジケータ割当てを受信することと、
全てのインタレースに関するＣＱＩ報告をもたらす、ＣＱＩ報告のための周期割当てを受信することと
を備え、
ＣＱＩ推定値が調整される第２の参照サブフレーム・タイプのランク・インジケータの未知の値を示す、前記第１の参照サブフレーム・タイプのランク・インジケータの値に応答して、前記第２の参照サブフレーム・タイプのランク・インジケータの値を、
前記第２の参照サブフレーム・タイプのランク・インジケータの値が、前記第１の参照サブフレーム・タイプのランク・インジケータの値に等しいこと、及び
前記第２の参照サブフレーム・タイプのランク・インジケータの値が、選択された一定値に等しいこと
のうちの１つに従って設定することを更に備える、請求項１に記載の方法。
【請求項１４】
前記選択された一定値は、前記第２の参照サブフレーム・タイプのサブフレームに関して非周期的ＣＱＩを非周期的に推定することによって選択され、前記選択された一定値は、前記推定された非周期的ＣＱＩを通して決定され、前記非周期的な推定は、前記ＵＥに関連付けられた前記ｅＮＢによって定期的に要求される、請求項１３に記載の方法。
【請求項１５】
前記チャネル・プロパティは、少なくとも、ランク・インジケータ及びチャネル品質インジケータ（ＣＱＩ）を含み、
前記複数のパラメータ値を受信することは、前記ＵＥに、第１の参照サブフレーム・タイプと第２の参照サブフレーム・タイプとの間でランク・インジケータ（ＲＩ）報告及びＣＱＩ報告を交互にするように指示する割当てを受信することを備える無線通信を備え、
ＲＩ及びＣＱＩのうちの１つの推定のためのサブフレームを選択することと、
前記サブフレームにおける干渉を除去することと、
前記サブフレームが前記第２の参照サブフレーム・タイプであること及び前記推定が前記第１の参照サブフレーム・タイプに向けられていることに応答して、前記除去の後に、前記ＲＩ及び前記ＣＱＩのうちの前記１つを推定することと、
前記サブフレームが前記第２の参照サブフレーム・タイプであること及び前記推定が前記第１の参照サブフレーム・タイプに向けられていることに応答して、
前記サブフレームに前記除去された干渉を再追加することと、
前記再追加の後に、前記ＲＩ及び前記ＣＱＩのうちの前記１つを推定することと
を更に備える、請求項１に記載の方法。
【請求項１６】
前記干渉の除去は、
前記ＵＥによって検出された少なくとも１つの近隣ｅＮＢの中から１つ又は複数のｅＮＢを選択することであって、参照シンボルがサービス提供ｅＮＢからの参照シンボルと衝突している１つ又は複数のｅＮＢを選択することと、
前記選択された１つ又は複数のｅＮＢから送信された前記参照シンボルによる干渉を除去することと、
前記除去後の残りの信号を用いてチャネル・プロパティを計算することと
を備える、請求項１５に記載の方法。
【請求項１７】
前記選択することは、
前記サービス提供ｅＮＢからの、除去するためのｅＮＢのリストを受信することと、
前記サービス提供ｅＮＢからの、保存するためのｅＮＢのリストを受信することと
のうちの１つ又は複数を備える、請求項１６に記載の方法。
【請求項１８】
無線通信のための装置であって、
リソースに関連付けられた複数のチャネル・プロパティを報告するためにユーザ機器（ＵＥ）において複数のパラメータ値を受信するための手段と、
前記複数のパラメータ値のうちのパラメータ値の第１のセットを用いて、第１のチャネル・プロパティに関する、前記複数のチャネル・プロパティのうちのチャネル・プロパティの第１のセットを推定するための手段と、
前記複数のパラメータ値のうちのパラメータ値の第２のセットを用いて、第２のチャネル・プロパティに関する、前記チャネル・プロパティのうちのチャネル・プロパティの第２のセットを推定するための手段と、
前記複数の推定されたチャネル・プロパティを、関連付けられた次世代ノードＢ（ｅＮＢ）へ送信するための手段と
を備え、前記複数のチャネル・プロパティのうちの前記第１及び第２のセットを推定するための手段は同時に実行される、装置。
【請求項１９】
前記複数のパラメータ値は、周期及びオフセットのうちの少なくとも１つを含む、請求項１８に記載の装置。
【請求項２０】
前記パラメータ値の第１のセットは、クリーン・インタレースに関して前記チャネル・プロパティの第１のセットを推定することを設定する、請求項１８に記載の装置。
【請求項２１】
前記パラメータ値の第２のセットは、非クリーン・インタレースに関して前記チャネル・プロパティの第２のセットを推定することを設定する、請求項２０に記載の装置。
【請求項２２】
クリーン・インタレースに関して前記チャネル・プロパティの第１のセットを推定することを設定する前記パラメータ値の第１のセットは、インタレース期間の倍数である報告周期を含む、請求項２０に記載の装置。
【請求項２３】
同一のサブフレームにおいて送信するための手段のためにスケジュールされた前記チャネル・プロパティの第１及び第２のセットの送信コリジョンを検出するための手段と、
前記同一のサブフレーム中に送信するために前記チャネル・プロパティの第１及び第２のセットのうちの１つを決定するための手段と
を更に備える、請求項１８に記載の装置。
【請求項２４】
前記決定するための手段は、
前記チャネル・プロパティの第１のセットを選択するための手段と、
クリーン・サブフレームから推定された、前記チャネル・プロパティの第１及び第２のセットのうちの１つを選択するための手段と、
前記ＵＥの設定に従って、前記推定されたチャネル・プロパティの第１及び第２のセットのうちの１つを選択するための手段と、
前記関連付けられたｅＮＢから受信されたコリジョン・パラメータに従って、前記推定されたチャネル・プロパティの第１及び第２のセットのうちの１つを選択するための手段と
のうちの１つを備える、請求項２３に記載の装置。
【請求項２５】
前記推定されたチャネル・プロパティは、
ランク・インジケータ（ＲＩ）、
チャネル品質インジケータ（ＣＱＩ）、及び
前符号化マトリクス・インジケータ（ＰＭＩ）
のうちの１つ又は複数を備える、請求項１８に記載の装置。
【請求項２６】
無線ネットワークにおける無線通信のためのコンピュータ・プログラム製品であって、
リソースに関連付けられた複数のチャネル・プロパティを報告するためにユーザ機器（ＵＥ）において複数のパラメータ値を受信するためのプログラム・コードと、
前記複数のパラメータ値のうちのパラメータ値の第１のセットを用いて、第１のチャネル・プロパティに関する、前記複数のチャネル・プロパティのうちのチャネル・プロパティの第１のセットを推定するためのプログラム・コードと、
前記複数のパラメータ値のうちのパラメータ値の第２のセットを用いて、第２のチャネル・プロパティに関する、前記複数のチャネル・プロパティのうちのチャネル・プロパティの第２のセットを推定するためのプログラム・コードと、
前記複数の推定されたチャネル・プロパティを関連付けられた次世代ノードＢ（ｅＮＢ）へ送信するためのプログラム・コードと
を備えるプログラム・コードが記録された持続性コンピュータ読取可能媒体を備え、前記複数のチャネル・プロパティのうちの第１及び第２のセットを推定するためのプログラム・コードは同時に実行される、コンピュータ・プログラム製品。
【請求項２７】
前記複数のパラメータ値は、周期及びオフセットのうちの少なくとも１つを含む、請求項２６に記載のコンピュータ・プログラム製品。
【請求項２８】
前記パラメータ値の第１のセットは、クリーン・インタレースに関して前記チャネル・プロパティの第１のセットを推定するように前記プログラム・コードを設定する、請求項２６に記載のコンピュータ・プログラム製品。
【請求項２９】
前記パラメータ値の第２のセットは、非クリーン・インタレースに関して前記チャネル・プロパティの第２のセットを推定するように前記プログラム・コードを設定する、請求項２８に記載のコンピュータ・プログラム製品。
【請求項３０】
クリーン・インタレースに関して前記チャネル・プロパティの第１のセットを推定するように前記プログラム・コードを設定する前記パラメータ値の第１のセットは、インタレース期間の倍数である報告周期を含む、請求項２８に記載のコンピュータ・プログラム製品。
【請求項３１】
同一のサブフレームにおいて送信するための前記プログラム・コードにおいて用いるためにスケジュールされた前記チャネル・プロパティの第１及び第２のセットの送信コリジョンを検出するためのプログラム・コードと、
前記同一のサブフレーム中に送信するための、前記チャネル・プロパティの第１及び第２のセットのうちの１つを決定するためのプログラム・コードと
を更に備える、請求項２６に記載のコンピュータ・プログラム製品。
【請求項３２】
前記決定するためのプログラム・コードは、
前記チャネル・プロパティの第１のセットを選択するためのプログラム・コードと、
クリーン・サブフレームから推定された、前記チャネル・プロパティの第１及び第２のセットのうちの１つを選択するためのプログラム・コードと、
前記ＵＥの設定に従って、前記推定されたチャネル・プロパティの第１及び第２のセットのうちの１つを選択するためのプログラム・コードと、
前記関連付けられたｅＮＢから受信されたコリジョン・パラメータに従って、前記推定されたチャネル・プロパティの第１及び第２のセットのうちの１つを選択するためのプログラム・コードと
のうちの１つを備える、請求項３１に記載のコンピュータ・プログラム製品。
【請求項３３】
前記推定されたチャネル・プロパティは、
ランク・インジケータ（ＲＩ）、
チャネル品質インジケータ（ＣＱＩ）、及び
前符号化マトリクス・インジケータ（ＰＭＩ）
のうちの１つ又は複数を備える、請求項２６に記載のコンピュータ・プログラム製品。
【請求項３４】
無線通信のために構成された装置であって、
少なくとも１つのプロセッサと、
前記少なくとも１つのプロセッサに結合されたメモリと
を備え、前記少なくとも１つのプロセッサは、
リソースに関連付けられた複数のチャネル・プロパティを報告するためにユーザ機器（ＵＥ）において複数のパラメータ値を受信し、
前記複数のパラメータ値のうちのパラメータ値の第１のセットを用いて、第１のチャネル・プロパティに関する、前記複数のチャネル・プロパティのうちのチャネル・プロパティの第１のセットを推定し、
前記複数のパラメータ値のうちのパラメータ値の第２のセットを用いて、第２のチャネル・プロパティに関する、前記複数のチャネル・プロパティのうちのチャネル・プロパティの第２のセットを推定し、
前記複数の推定されたチャネル・プロパティを、関連付けられた次世代ノードＢ（ｅＮＢ）へ送信する
ように構成され、前記複数のプロパティの前記第１及び第２のセットの推定は、前記少なくとも１つのプロセッサによって同時に実行される、装置。
【請求項３５】
前記複数のパラメータ値は、周期及びオフセットのうちの少なくとも１つを含む、請求項３４に記載の装置。
【請求項３６】
前記パラメータ値の第１のセットは、クリーン・インタレースに関して前記チャネル・プロパティの第１のセットを推定するように、前記少なくとも１つのプロセッサを設定する、請求項３４に記載の装置。
【請求項３７】
前記パラメータ値の第２のセットは、非クリーン・インタレースに関して前記チャネル・プロパティの第２のセットを推定するように、前記少なくとも１つのプロセッサを設定する、請求項３６に記載の装置。
【請求項３８】
クリーン・インタレースに関して前記チャネル・プロパティの第１のセットを推定するように前記プログラム・コードを設定する前記パラメータ値の第１のセットは、インタレース期間の倍数である報告周期を含む、請求項３６に記載の装置。
【請求項３９】
前記少なくとも１つのプロセッサは更に、
同一のサブフレームにおける前記送信のためにスケジュールされた前記チャネル・プロパティの第１及び第２のセットの送信コリジョンを検出し、
前記同一のサブフレーム中に送信するための、前記チャネル・プロパティの第１及び第２のセットのうちの１つを決定する
ように構成される、請求項３４に記載の装置。
【請求項４０】
決定するための前記少なくとも１つのプロセッサの構成は、
前記チャネル・プロパティの第１のセットを選択すること、
クリーン・サブフレームから推定された、前記チャネル・プロパティの第１及び第２のセットのうちの１つを選択すること、
前記ＵＥの設定に従って、前記チャネル・プロパティの第１及び第２のセットのうちの１つを選択すること、及び
前記関連付けられたｅＮＢから受信されたコリジョン・パラメータに従って、前記チャネル・プロパティの第１及び第２のセットのうちの１つを選択すること
のうちの１つを前記少なくとも１つのプロセッサの構成に備える、請求項３９に記載の装置。
【請求項４１】
前記推定されたチャネル・プロパティは、
ランク・インジケータ（ＲＩ）、
チャネル品質インジケータ（ＣＱＩ）、及び
前符号化マトリクス・インジケータ（ＰＭＩ）
のうちの１つ又は複数を備える、請求項３４に記載の装置。
【請求項４２】
無線通信のための方法であって、
スケジューリング・パラメータ値の複数のセットをコンパイルすることであって、前記複数のセットの各セットは、ユーザ機器（ＵＥ）のチャネル・プロパティを推定するための前記ＵＥの報告エンジンのスケジューリングを設定するように設計された複数のスケジューリング・パラメータを含み、前記複数のセットのうちの２つ以上が特定のＵＥのためにコンパイルされる、ことと、
前記スケジューリング・パラメータ値の複数のセットを、対応する１つ又は複数のＵＥへ送信することと
を備える方法。
【請求項４３】
前記複数のセットのうちの少なくとも１つが、クリーン・インタレースに関してチャネル・プロパティを推定するように前記報告エンジンを設定する複数のスケジューリング・パラメータを含み、前記複数のセットのうちの別の１つが、非クリーン・インタレースに関してチャネル・プロパティを推定するように前記報告エンジンを設定する別の複数のスケジューリング・パラメータを含む、請求項４２に記載の方法。
【請求項４４】
前記チャネル・プロパティは、少なくとも、ランク・インジケータ及びチャネル品質インジケータ（ＣＱＩ）を含み、
スケジューリング・パラメータ値の複数のセットをコンパイルすることは、
前記ＵＥにおけるランク・インジケータ推定処理と前記ＵＥにおけるＣＱＩ推定処理とに報告期間を割り当てることであって、前記報告期間は、インタレース期間に均等に分割することができることと、
前記ランク・インジケータ推定処理に第１の報告オフセットを割り当てることと、
前記ＣＱＩ推定処理に、第２の報告オフセットを割り当てることであって、前記第１及び第２の報告オフセットは異なることと
を備え、
前記ランク・インジケータ推定処理の結果生じたランク・インジケータと、前記ＣＱＩ推定処理の結果生じたＣＱＩとを、複数のサブフレームのうちの異なる１つの間に受信すること
を更に備える、請求項４２に記載の方法。
【請求項４５】
前記チャネル・プロパティは、少なくとも、ランク・インジケータ及びチャネル品質インジケータ（ＣＱＩ）を含み、
スケジューリング・パラメータ値の複数のセットをコンパイルすることは、
前記ＵＥにおけるランク・インジケータ推定処理と前記ＵＥにおけるＣＱＩ推定処理とに報告期間を割り当てることであって、前記報告期間とインタレース期間とは異なるプライム値を有することと、
前記ランク・インジケータ推定処理に第１の報告オフセットを割り当てることと、
前記ＣＱＩ推定処理に第２の報告オフセットを割り当てることであって、前記第１及び第２の報告オフセットは、第１の参照サブフレーム・タイプとは異なる第２の参照サブフレーム・タイプに基づいてレート・インジケータにおいて調整された前記ＣＱＩ推定処理によって生成された前記第１の参照サブフレーム・タイプに関してＣＱＩ推定値の数を低減するために選択され、前記レート・インジケータは、前記レート・インジケータ推定処理によって生成されることと
を備え、
前記ランク・インジケータ推定処理の結果生じたランク・インジケータと、前記ＣＱＩ推定処理の結果生じたＣＱＩとを、複数のサブフレームのうちの異なる１つの間に受信すること
を更に備える、請求項４２に記載の方法。
【請求項４６】
前記チャネル・プロパティは、少なくとも、ランク・インジケータ及びチャネル品質インジケータ（ＣＱＩ）を含み、
スケジューリング・パラメータの複数のセットをコンパイルすることは、
前記ＵＥにおけるランク・インジケータ推定処理と前記ＵＥにおけるＣＱＩ推定処理とに報告期間を割り当てることであって、前記報告期間は、インタレース期間よりも長いが前記インタレース期間の倍数ではないことと、
前記ランク・インジケータ推定処理に第１の報告オフセットを割り当てることと、
前記ＣＱＩ推定処理に第２の報告オフセットを割り当てることであって、前記第１及び第２の報告オフセットは、第１の参照サブフレームにおいてレート・インジケータが推定された場合、前記第１の参照サブフレーム足す前記インタレース期間として定められる次のサブフレームにおいて次のＣＱＩが推定されるように選択されることと
を備え、
前記ランク・インジケータ推定処理の結果生じたランク・インジケータと前記ＣＱＩ推定処理の結果生じたＣＱＩとを複数のサブフレームのうちの異なる１つの間に受信すること
を更に備える、請求項４２に記載の方法。
【請求項４７】
無線通信のために構成された装置であって、
スケジューリング・パラメータ値の複数のセットをコンパイルするための手段であって、前記複数のセットの各セットは、ユーザ機器（ＵＥ）のチャネル・プロパティを推定するために前記ＵＥの報告エンジンのスケジューリングを設定するように設計された複数のスケジューリング・パラメータを含み、前記複数のセットのうちの２つ以上が特定のＵＥのためにコンパイルされる、手段と、
前記スケジューリング・パラメータ値の複数のセットを、対応する１つ又は複数のＵＥへ送信するための手段と
を備える装置。
【請求項４８】
前記複数のセットのうちの少なくとも１つが、クリーン・インタレースに関してチャネル・プロパティを推定するために前記報告エンジンを設定する複数のスケジューリング・パラメータを含み、前記複数のセットのうちの少なくとも別の１つが、非クリーン・インタレースに関してチャネル・プロパティを推定するために前記報告エンジンを設定する別の複数のスケジューリング・パラメータを含む、請求項４７に記載の装置。
【請求項４９】
無線ネットワークにおける無線通信のためのコンピュータ・プログラム製品であって、
スケジューリング・パラメータ値の複数のセットをコンパイルするためのプログラム・コードであって、前記複数のセットの各セットは、ユーザ機器（ＵＥ）のチャネル・プロパティを推定するために前記ＵＥの報告エンジンのスケジューリングを設定するように設計された複数のスケジューリング・パラメータを含み、前記複数のセットのうちの２つ以上が特定のＵＥのためにコンパイルされる、プログラム・コードと、
前記スケジューリング・パラメータ値の複数のセットを、対応する１つ又は複数のＵＥへ送信するためのプログラム・コードと
を備えるプログラム・コードが記録された持続性コンピュータ読取可能媒体を備えるコンピュータ・プログラム製品。
【請求項５０】
前記複数のセットのうちの少なくとも１つが、クリーン・インタレースに関してチャネル・プロパティを推定するように前記報告エンジンを設定する複数のスケジューリング・パラメータを含み、前記複数のセットのうちの少なくとも別の１つが、非クリーン・インタレースに関してチャネル・プロパティを推定するように前記報告エンジンを設定する別の複数のスケジューリング・パラメータを含む、請求項４９に記載のコンピュータ・プログラム製品。
【請求項５１】
無線通信のための装置であって、
少なくとも１つのプロセッサと、
前記少なくとも１つのプロセッサに結合されたメモリと
を備え、前記少なくとも１つのプロセッサは、
スケジューリング・パラメータ値の複数のセットをコンパイルし、ここにおいて、前記複数のセットの各セットは、ユーザ機器（ＵＥ）のチャネル・プロパティを推定するために前記ＵＥの報告エンジンのスケジューリングを設定するように設計された複数のスケジューリング・パラメータを含み、前記複数のセットのうちの２つ以上が特定のＵＥのためにコンパイルされ、
前記スケジューリング・パラメータ値の複数のセットを、対応する１つ又は複数のＵＥへ送信する
ように構成された装置。
【請求項５２】
前記複数のセットのうちの少なくとも１つが、クリーン・インタレースに関してチャネル・プロパティを推定するように前記報告エンジンを設定する複数のスケジューリング・パラメータを含み、前記複数のセットの少なくとも別の１つが、非クリーン・インタレースに関してチャネル・プロパティを推定するように前記報告エンジンを設定する別の複数のスケジューリング・パラメータを含む、請求項５１に記載の装置。
【発明の詳細な説明】
【優先権の主張】
【０００１】
本願は、参照によって全体が本願に明確に組み込まれた、２０１０年９月２７日出願の“REPORTING OF RANK INDICATORS IN HETEROGENEOUS NETWORKS”と題された米国特許仮出願第６１／３８６８７５号の利益を主張する。本願は更に、その開示が参照によって全体が本願に明確に組み込まれた、以下の共同所有された同時継続出願に関連する。
【０００２】
２０１０年４月１３日出願の米国特許仮出願第６１／３２３８２２号、代理人明細書第１０１６０９Ｐ１号に対する優先権を主張する、２０１１年４月１１日出願の“CQI ESTIMATION IN A WIRELESS COMMUNICATION NETWORK”と題された米国特許仮出願第１３／０８４１５４号、代理人明細書第１０１６０９号、
２０１０年４月１３日出願の米国特許仮出願第６１／３２３８２９号、代理人明細書第１０１６１０Ｐ１号に対する優先権を主張する、２０１１年４月１２日出願の“CHANNEL STATE INFORMATION REPORTING IN A WIRELESS COMMUNICATION NETWORK”と題された米国特許仮出願第１３／０８４９５９号、代理人明細書第１０１６１０号、
２０１０年７月２６日出願の米国特許仮出願第６１／３６７８６５号、代理人明細書第１０２４３９Ｐ１号に対する優先権を主張する、２０１１年７月２５日出願の“PHYSICAL LAYER SIGNALING TO USER EQUIPMENT IN A WIRELESS COMMUNICATION SYSTEM”と題された米国特許仮出願第１３／１９０３０８号、代理人明細書第１０１６１０号、
及び、２０１０年６月１８日出願の米国特許仮出願第６１／３５６３４６号、代理人明細書第１０２１９７Ｐ１号に対する優先権を主張する、２０１１年６月１７日出願の“CHANNEL QUALITY REPORTING FOR  DIFFERENT TYPES OF SUBFRAMES”と題された米国特許仮出願第１３／１６３５９５号、代理人明細書第１０１６１０号。
【技術分野】
【０００３】
本開示の態様は、一般に無線通信システムに関し、特に、異種ネットワークにおけるチャネル・プロパティの報告に関する。
【背景技術】
【０００４】
無線通信ネットワークは、例えば音声、ビデオ、パケット・データ、メッセージング、ブロードキャスト等のような様々な通信サービスを提供するために幅広く展開している。これらの無線ネットワークは、利用可能なネットワーク・リソースを共有することによって複数のユーザをサポートすることができる多元接続ネットワークであることができる。通常、多元接続ネットワークであるそのようなネットワークは、利用可能なネットワーク・リソースを共有することによって複数のユーザのための通信をサポートする。そのようなネットワークの一例は、ユニバーサル地上ラジオ・アクセス・ネットワーク（ＵＴＲＡＮ）である。ＵＴＲＡＮは、第３世代パートナーシップ・プロジェクト（３ＧＰＰ）によってサポートされる第３世代（３Ｇ）モバイルホン技術である、ユニバーサル・モバイル・テレコミュニケーション・システム（ＵＭＴＳ）の一部として定義されるラジオ・アクセス・ネットワーク（ＲＡＮ）である。多元接続ネットワーク・フォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、及びシングルキャリアＦＤＭＡ（ＳＣ−ＦＤＭＡ）ネットワークを含む。
【０００５】
無線通信ネットワークは、複数のユーザ機器（ＵＥ）のための通信をサポートすることができる複数の基地局又はノードＢを含むことができる。ＵＥは、ダウンリンク及びアップリンクを介して基地局と通信することができる。ダウンリンク（すなわち、順方向リンク）は、基地局からＵＥへの通信リンクを称し、アップリンク（すなわち、逆方向リンク）は、ＵＥから基地局への通信リンクを称する。
【０００６】
基地局は、ダウンリンクにおいてＵＥへデータ及び制御情報を送信することができる、及び／又は、アップリンクにおいてＵＥからのデータ及び制御情報を受信することができる。ダウンリンクにおいて、基地局からの送信は、近隣基地局又は他の無線ラジオ周波数（ＲＦ）送信機からの送信に起因する干渉に遭遇することがある。アップリンクにおいて、ＵＥからの送信は、近隣基地局と通信している他のＵＥのアップリンク送信又は他の無線ＲＦ送信機からの干渉に遭遇することがある。この干渉は、ダウンリンク及びアップリンクの両方において性能を低下させうる。
【０００７】
モバイル・ブロードバンド・アクセスへの需要が増加し続けるにつれ、コミュニティにおいて展開されている長距離無線通信ネットワーク及びより短距離の無線システムにアクセスしているＵＥが増えるとともに、干渉及び混雑したネットワークの可能性が増加している。増加しているモバイル・ブロードバンド・アクセスに対する需要を満たすためだけではなく、モバイル通信を用いるユーザ・エクスペリエンスを改善するために、ＵＭＴＳ技術を進歩させるための研究開発が継続している。
【発明の概要】
【０００８】
本開示の様々な態様は、異種ネットワークに関するランク・インジケータ、ＰＭＩ、及びＣＱＩの推定及び報告機能に向けられている。様々な態様は、ｅＮＢへ送信される不一致のＣＱＩ推定値の数を低減することに向けられ、この場合ＣＱＩは、ＣＱＩが調整されたランク・インジケータが、ＣＱＩが推定されるサブフレームと異なる干渉レベルのサブフレームからである場合、不一致であると定義される。１つのそのような態様において、関連付けられたｅＮＢからのスケジューリング・パラメータを受信するために、ＵＥにおいて複数の定期報告エンジンが提供される。ｅＮＢは、チャネル・プロパティ（例えば、ランク・インジケータ、ＰＭＩ、ＣＱＩ等）の推定及び報告を様々な周期及びオフセットとして実行するように全てのＵＥの報告エンジンをスケジュールするために、各ＵＥについて明確にスケジューリング・パラメータをコンパイルする。ｅＮＢは、例えばクリーン・サブフレームのみ又は非クリーン・サブフレームのみのように、あるサブフレーム又はサブフレーム・タイプにおいてチャネル・プロパティを推定するようにＵＥの１つの報告エンジンをスケジュールするためにパラメータをコンパイルすることができる。ネットワークは、ｅＮＢを通して、不一致のチャネル・プロパティ推定値の数を低減するために各ＵＥにおける複数の報告エンジンのスケジューリングを制御する。
【０００９】
本開示の１つの態様において、無線通信のための方法は、リソースに関連付けられた複数のチャネル・プロパティを報告するためにＵＥにおいてパラメータ値を受信することと、第１のチャネル・プロパティに関するチャネル・プロパティの第１のセットを推定することとを含み、この場合推定することは、受信されたパラメータ値の第１のセットを用いる。方法は更に、第２のチャネル・プロパティに関するチャネル・プロパティの第２のセットを推定することを含み、この場合推定することは、受信されたパラメータ値の第２のセットを用い、複数のチャネル・プロパティの第１及び第２のセットの推定は同時に実行される。方法はまた、推定されたチャネル・プロパティを、関連付けられたｅＮＢへ送信することも含む。
【００１０】
本開示の更なる態様において、無線通信のための装置は、リソースに関連付けられたチャネル・プロパティを報告するためにＵＥにおいてパラメータ値を受信するための手段と、第１のチャネル・プロパティに関するチャネル・プロパティの第１のセットを推定するための手段とを含み、この場合推定するための手段は、受信されたパラメータ値の第１のセットを用いる。装置は更に、第２のチャネル・プロパティに関するチャネル・プロパティの第２のセットを推定するための手段を含み、この場合推定するための手段は、受信されたパラメータ値の第２のセットを用い、チャネル・プロパティの第１及び第２のセットを推定するための手段は同時に実行される。装置は更に、推定されたチャネル・プロパティを、関連付けられたｅＮＢへ送信するための手段を含む。
【００１１】
本開示の更なる態様において、無線ネットワークにおける無線通信のためのコンピュータ・プログラム製品は、記録されたプログラム・コードを有する持続性コンピュータ読取可能媒体を含む。プログラム・コードは、リソースに関連付けられたチャネル・プロパティを報告するためにＵＥにおいてパラメータ値を受信するためのコードと、第１のチャネル・プロパティに関するチャネル・プロパティの第１のセットを推定するためのコードとを含み、第１のセットを推定するためのコードは、受信されたパラメータ値の第１のセットを用いる。プログラム・コードはまた、第２のチャネル・プロパティに関するチャネル・プロパティの第２のセットを推定するためのコードも含み、第２のセットを推定するためのコードは、受信されたパラメータ値の第２のセットを用い、チャネル・プロパティの第１及び第２のセットを推定するためのコードは同時に実行される。プログラム・コードはまた、推定されたチャネル・プロパティを、関連付けられたｅＮＢへ送信するためのコードも含む。
【００１２】
本開示の更なる態様において、無線通信のための装置は、少なくとも１つのプロセッサと、プロセッサに結合されたメモリとを含む。プロセッサは、リソースに関連付けられたチャネル・プロパティを報告するためにＵＥにおいてパラメータ値を受信し、第１のチャネル・プロパティに関するチャネル・プロパティの第１のセットを推定するように構成され、第１のセットを推定するように構成されたプロセッサは、受信されたパラメータ値の第１のセットを用いる。プロセッサは更に、第２のチャネル・プロパティに関するチャネル・プロパティの第２のセットを推定するように構成され、第２のセットを推定するように構成されたプロセッサは、受信されたパラメータ値の第２のセットを用い、チャネル・プロパティの第１及び第２のセットの推定はプロセッサによって同時に実行される。プロセッサは更に、推定されたチャネル・プロパティを、関連付けられたｅＮＢへ送信するように構成される。
【００１３】
本開示の更なる態様において、無線通信のための方法は、スケジューリング・パラメータ値のセットをコンパイルすることを含み、各セットは、ＵＥのチャネル・プロパティを推定するためにＵＥの報告エンジンのスケジューリングを設定するように設計されたスケジューリング・パラメータを含み、複数のセットのうちの２つ以上が特定のＵＥのためにコンパイルされる。方法はまた、スケジューリング・パラメータ値のセットを、対応するＵＥへ送信することも含む。
【００１４】
本開示の更なる態様において、無線通信のために構成された装置は、スケジューリング・パラメータ値のセットをコンパイルするための手段を含み、各セットは、ＵＥのチャネル・プロパティを推定するためにＵＥの報告エンジンのスケジューリングを設定するように設計されたスケジューリング・パラメータを含み、セットのうちの２つ以上が特定のＵＥのためにコンパイルされる。装置は更に、スケジューリング・パラメータ値のセットを、対応するＵＥへ送信するための手段を含む。
【００１５】
本開示の１つの態様において、無線ネットワークにおける無線通信のためのコンピュータ・プログラム製品は、記録されたプログラム・コードを有する持続性コンピュータ読取可能媒体を含む。プログラム・コードは、スケジューリング・パラメータ値のセットをコンパイルするためのコードを含み、各セットは、ＵＥのチャネル・プロパティを推定するためにＵＥの報告エンジンのスケジューリングを設定するように設計されたスケジューリング・パラメータを含み、セットのうちの２つ以上が特定のＵＥのためにコンパイルされる。プログラム・コードはまた、スケジューリング・パラメータ値のセットを、対応するＵＥへ送信するためのコードも含む。
【００１６】
本開示の更なる態様において、無線通信のために構成された装置は、少なくとも１つのプロセッサと、プロセッサに結合されたメモリとを含む。プロセッサは、スケジューリング・パラメータ値のセットをコンパイルするように構成され、各セットは、ＵＥのチャネル・プロパティを推定するためにＵＥの報告エンジンのスケジューリングを設定するように設計されたスケジューリング・パラメータを含み、セットのうちの２つ以上が特定のＵＥのためにコンパイルされる。プロセッサは更に、スケジューリング・パラメータ値のセットを、対応するＵＥへ送信するように構成される。
【図面の簡単な説明】
【００１７】
【図１】図１は、モバイル通信システムの例を概念的に示すブロック図である。
【図２】図２は、モバイル通信システムにおけるダウンリンク・フレーム構成の例を概念的に示すブロック図である。
【図３】図３は、アップリンクＬＴＥ／−Ａ通信におけるフレーム構成例を概念的に示すブロック図である。
【図４】図４は、本開示の１つの態様に従って異種ネットワークにおける時分割多重（ＴＤＭ）分割を概念的に示すブロック図である。
【図５】図５は、本開示の１つの態様に従って構成された基地局／ｅＮＢ及びＵＥの設計を概念的に示すブロック図である。
【図６】図６は、本開示の１つの態様に従って構成された無線ネットワークにおいてｅＮＢとＵＥとの間で送信されるデータ・ストリームを示すブロック図である。
【図７】図７は、本開示の１つの態様に従って構成された無線ネットワークにおいてｅＮＢとＵＥとの間で送信されるデータ・ストリームを示すブロック図である。
【図８】図８は、本開示の１つの態様を実現するために実行されるブロック例を概念的に示す機能ブロック図である。
【図９】図９は、本態様の１つの実施形態に従って構成された無線ネットワークにおいてｅＮＢとＵＥとの間で通信されるデータ・ストリームのインタレース期間を概念的に示すブロック図である。
【図１０】図１０は、本開示の１つの態様を実現するために実行されるブロック例を概念的に示す機能ブロック図である。
【図１１】図１１は、本開示の１つの態様を実現するために実行されるブロック例を概念的に示す機能ブロック図である。
【図１２】図１２は、本開示の１つの態様を実現するために実行されるブロック例を概念的に示す機能ブロック図である。
【図１３】図１３は、本開示の１つの態様に従って構成されたＵＥを概念的に示すブロック図である。
【図１４】図１４は、本開示の１つの態様に従って構成されたｅＮＢを概念的に示すブロック図である。
【図１５】図１５は、本開示の１つの態様に従って構成された無線通信ネットワークを概念的に示すブロック図である。
【図１６】図１６は、本開示の１つの態様を実現するために実行されるブロック例を概念的に示す機能ブロック図である。
【図１７】図１７は、本開示の１つの態様を実現するために実行されるブロック例を概念的に示す機能ブロック図である。
【詳細な説明】
【００１８】
添付図面と関連して以下に記載される詳細な説明は、様々な構成の説明として意図されており、本明細書で説明される概念が実行されうる構成のみを表すことは意図されていない。詳細な説明は、様々な概念の完全な理解を提供する目的のために具体的な詳細を含む。しかし当業者には、それらの概念がそれらの具体的な詳細なしでも実行されうることが明らかであるだろう。いくつかの例において、そのような概念を不明瞭にすることを回避するために周知の構成及び構成要素がブロック図形式で示される。
【００１９】
本明細書で説明された技術は、例えばＣＤＭＡ、ＴＤＭＡ、ＦＤＭＡ、ＯＦＤＭＡ、ＳＣ−ＦＤＭＡ、及び他のネットワークのような様々な無線通信ネットワークのために用いられうる。「ネットワーク」という用語と「システム」という用語とはしばしば相互置換性を持って用いられる。ＣＤＭＡネットワークは、例えばユニバーサル地上ラジオ・アクセス（ＵＴＲＡ）、電気通信業界協会（ＴＩＡ）のＣＤＭＡ２０００（登録商標）等のようなラジオ技術を実現することができる。ＵＴＲＡ技術は、広帯域ＣＤＭＡ（ＷＣＤＭＡ（登録商標））及び他の様々なＣＤＭＡを含む。ＣＤＭＡ２０００（登録商標）技術は、米国電子工業会（ＥＩＡ）及びＴＩＡからのＩＳ−２０００規格、ＩＳ−９５規格、及びＩＳ−８５６規格を含む。ＴＤＭＡ２０００ネットワークは、例えばグローバル・システム・フォー・モバイル・コミュニケーション（ＧＳＭ（登録商標））のようなラジオ技術を実現することができる。ＯＦＤＭＡネットワークは、例えば次世代ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭＡ等のようなラジオ技術を実現することができる。ＵＴＲＡ技術及びＥ−ＵＴＲＡ技術は、ユニバーサル・モバイル・テレコミュニケーション・システム（ＵＭＴＳ）の一部である。３ＧＰＰロング・ターム・エボリューション（ＬＴＥ）及びＬＴＥ−Ａｄｖａｎｃｅｄ（ＬＴＥ−Ａ）は、Ｅ−ＵＴＲＡを用いるＵＭＴＳの新リリースである。ＵＴＲＡ、Ｅ−ＵＴＲＡ、ＵＭＴＳ、ＬＴＥ、ＬＴＥ−Ａ、及びＧＳＭ（登録商標）は、「第３世代パートナーシップ・プロジェクト」（３ＧＰＰ）と称される組織からの文書において説明される。ＣＤＭＡ２０００（登録商標）及びＵＭＢは、「第３世代パートナーシップ・プロジェクト２」（３ＧＰＰ２）と称される組織からの文書において説明される。本明細書で説明された技術は、上記の無線ネットワーク及びラジオ・アクセス技術と同様、他の無線ネットワーク及びラジオ・アクセス技術にも用いられうる。明確化のために、本技術のある態様は以下でＬＴＥ又はＬＴＥ−Ａ（あるいは集合的に「ＬＴＥ／−Ａ」と称される）に関して説明され、以下の説明の大部分においてそのようなＬＴＥ／−Ａ技術を用いる。
【００２０】
図１は、ＬＴＥ−Ａネットワークであることができる、通信のための無線ネットワーク１００を示す。無線ネットワーク１００は、複数の次世代ノードＢ（ｅＮＢ）１１０及び他のネットワーク・エンティティを含む。ｅＮＢは、ＵＥと通信する局であることができ、基地局、ノードＢ、アクセス・ポイント等とも称されうる。各ｅＮＢ１１０は、特定の地理的領域のための通信カバレージを提供することができる。３ＧＰＰにおいて、「セル」という用語は、その用語が用いられる文脈に依存して、カバレージ・エリアにサービス提供しているｅＮＢ及び／又はｅＮＢサブシステムのこの特定の地理的カバレージ・エリアを示すことができる。
【００２１】
ｅＮＢは、マクロ・セル、ピコ・セル、フェムト・セル、及び／又は他のタイプのセルのための通信カバレージを提供することができる。マクロ・セルは一般に、比較的大きい地理的領域（例えば、直径数キロメートル）をカバーし、ネットワーク・プロバイダにサービス加入しているＵＥによる無制限のアクセスを可能にすることができる。ピコ・セルは一般に比較的小さい地理的領域をカバーし、ネットワーク・プロバイダにサービス加入しているＵＥによる無制限のアクセスを可能にすることができる。フェムト・セルは一般に、比較的小さな地理的領域（例えば、家庭）をカバーし、無制限のアクセスに加えて、フェムト・セルとの接続を有するＵＥ（例えば、閉じられた加入者グループ（ＣＳＧ）内のＵＥ、家庭内のユーザのためのＵＥ等）による制限されたアクセスを提供することもできる。マクロ・セルのためのｅＮＢはマクロｅＮＢと称されうる。ピコ・セルのためのｅＮＢはピコｅＮＢと称されうる。フェムト・セルのためのｅＮＢはフェムトｅＮＢ又はホームｅＮＢと称されうる。図１に示す例において、ｅＮＢ１１０ａ、１１０ｂ、及び１１０ｃはそれぞれマクロ・セル１０２ａ、１０２ｂ、及び１０２ｃのためのマクロｅＮＢである。ｅＮＢ１１０ｘはピコ・セル１０２ｘのためのピコｅＮＢである。ｅＮＢ１１０ｙ及び１１０ｚはそれぞれフェムト・セル１０２ｙ及び１０２ｚのためのフェムトｅＮＢである。ｅＮＢは、１つ又は複数（例えば、２つ、３つ、４つ等）のセルをサポートすることができる。
【００２２】
無線ネットワーク１００は、同期又は非同期の動作をサポートすることができる。同期動作の場合、ｅＮＢは同様のフレーム・タイミングを有することができ、異なるｅＮＢからの送信がほぼ同時刻になることができる。非同期動作の場合、ｅＮＢは異なるフレーム・タイミングを有することができ、異なるｅＮＢからの送信は同時刻にならないだろう。
【００２３】
ネットワーク・コントローラ１３０は、ｅＮＢのセットに結合し、それらのｅＮＢのための調整及び制御を提供することができる。ネットワーク・コントローラ１３０は、バックホール１３２を介してｅＮＢ１１０と通信することができる。ｅＮＢ１１０は、例えば無線バックホール１３４または有線バックホール１３６を介して直接又は間接的に互いに通信することもできる。
【００２４】
ＵＥ１２０は、無線ネットワーク１００中に散在し、各ＵＥは固定式又はモバイルであることができる。ＵＥは、端末、モバイル局、加入者ユニット、局等とも称されうる。ＵＥは、セルラ電話、パーソナル・デジタル・アシスタント（ＰＤＡ）、無線モデム、無線通信デバイス、ハンドヘルド・デバイス、ラップトップ・コンピュータ、コードレス電話、無線ローカル・ループ（ＷＬＬ）局等であることができる。ＵＥは、マクロｅＮＢ、ピコｅＮＢ、フェムトｅＮＢ等と通信することができる。図１において、両端が矢印の実線は、ダウンリンク及び／又はアップリンクにおいてＵＥにサービス提供するように指定されたｅＮＢであるサービス提供ｅＮＢとＵＥとの間の所望の送信を示す。両端が矢印の点線は、ＵＥとｅＮＢとの間の干渉している送信を示す。
【００２５】
ＬＴＥ／−Ａは、ダウンリンクにおいて直交周波数分割多重（ＯＦＤＭ）を用い、アップリンクにおいてシングルキャリア周波数分割多重（ＳＣ−ＦＤＭ）を用いる。ＯＦＤＭ及びＳＣ−ＦＤＭは、システム帯域幅を、一般にトーン、ビン等とも称される複数（Ｋ個）の直交サブキャリアに分割する。各サブキャリアは、データを用いて変調されうる。一般に変調シンボルは、ＯＦＤＭの場合、周波数領域で送信され、ＳＣ−ＦＤＭの場合、時間領域で送信される。隣接するサブキャリア間の間隔は一定であり、サブキャリアの総数（Ｋ）はシステム帯域幅に依存しうる。例えばＫは、１．２５、２．５、５、１０、又は２０メガヘルツ（ＭＨｚ）の対応するシステム帯域幅に対し、それぞれ１２８、２５６、５１２、１０２４、又は２０４８に等しくなりうる。システム帯域幅はまた、サブバンドに分割されることもできる。例えばサブバンドは１．０８ＭＨｚをカバーすることができ、１．２５、２．５、５、１０、又は２０ＭＨｚの対応するシステム帯域幅に対し、それぞれ１、２、４、８、又は１６のサブバンドが存在しうる。
【００２６】
図２は、ＬＴＥ／−Ａにおいて用いられるダウンリンク・フレーム構成を示す。ダウンリンクのための送信タイムラインは、ラジオ・フレームの単位に分割されうる。各ラジオ・フレームは、予め定められた持続期間（例えば、１０ミリ秒（ｍｓ））を有することができ、０乃至９のインデクスを有する１０個のサブフレームに分割されうる。各サブフレームは２つのスロットを含むことができる。従って各ラジオ・フレームは、０乃至１９のインデクスを有する２０のスロットを含むことができる。各スロットは、例えば（図２に示すような）通常の循環プリフィクスの場合７つのシンボル期間、延長された循環プリフィクスの場合６つのシンボル期間のような、Ｌ個のシンボル期間を含むことができる。各サブフレーム内の２Ｌ個のシンボル期間は、０乃至２Ｌ−１のインデクスを割り当てられうる。利用可能な時間周波数リソースが、リソース・ブロックに分割されうる。各リソース・ブロックは、１スロット内のＮ個のサブキャリア（例えば、１２のサブキャリア）をカバーすることができる。
【００２７】
ＬＴＥ／−Ａにおいて、ｅＮＢは、ｅＮＢにおける各セルについて一次同期信号（ＰＳＳ）及び二次同期信号（ＳＳＳ）を送信することができる。一次同期信号及び二次同期信号は、図２に示すように、通常の循環プリフィクスを有する各ラジオ・フレームのサブフレーム０及び５の各々において、それぞれシンボル期間６及び５において送信されうる。同期信号は、セル検出及び取得のためにＵＥによって用いられうる。ｅＮＢは、サブフレーム０のスロット１におけるシンボル期間０から３において物理ブロードキャスト・チャネル（ＰＢＣＨ）を送信することができる。ＰＢＣＨは、あるシステム情報を搬送することができる。
【００２８】
ｅＮＢは、図２に示すように、各サブフレームの第１のシンボル期間において物理制御フォーマット・インジケータ・チャネル（ＰＣＦＩＣＨ）を送信することができる。ＰＣＦＩＣＨは、制御チャネルのために用いられるシンボル期間の数（Ｍ）を伝送することができ、Ｍは、１、２、又は３に等しく、サブフレームごとに変化しうる。Ｍはまた、例えば１０より少ないリソース・ブロックを有するような小さなシステム帯域幅の場合、４に等しいこともある。図２に示す例において、Ｍ＝３である。ｅＮＢは、各サブフレームの最初のＭ個のシンボル期間において、物理ＨＡＲＱインジケータ・チャネル（ＰＨＩＣＨ）及び物理ダウンリンク制御チャネル（ＰＤＣＣＨ）を送信することができる。ＰＤＣＣＨ及びＰＨＩＣＨはまた、図２に示す例において、最初の３つのシンボル期間に含まれる。ＰＨＩＣＨは、ハイブリッド自動反復（ＨＡＲＱ）をサポートするための情報を搬送することができる。ＰＤＣＣＨは、ＵＥのためのリソース割当てにおける情報及びダウンリンク・チャネルのための制御情報を搬送することができる。ｅＮＢは、各サブフレームの残りのシンボル期間において、物理ダウンリンク共有チャネル（ＰＤＳＣＨ）を送信することができる。ＰＤＳＣＨは、ダウンリンクにおけるデータ送信のためにスケジュールされたＵＥに関するデータを搬送することができる。
【００２９】
各サブフレームの制御セクション、すなわち、各サブフレームの第１のシンボル期間においてＰＨＩＣＨ及びＰＤＣＣＨを送信することに加え、ＬＴＥ−Ａは、各サブフレームのデータ部分においてそれらの制御指向性チャネルを同様に送信することもできる。図２に示すように、例えば中継物理ダウンリンク制御チャネル（Ｒ−ＰＤＣＣＨ）及び中継物理ＨＡＲＱインジケータ・チャネル（Ｒ−ＰＨＩＣＨ）のような、データ領域を用いるそれらの新たな制御設計が、各サブフレームの後半のシンボル期間に含まれる。Ｒ−ＰＤＣＣＨは、半二重中継動作に関連してもともと展開されたデータ領域を用いる新たなタイプの制御チャネルである。１つのサブフレーム内の最初のいくつかの制御シンボルを占める従来のＰＤＣＣＨ及びＰＨＩＣＨとは異なり、Ｒ−ＰＤＣＣＨ及びＲ−ＰＨＩＣＨは、もともとデータ領域として指定されたリソース要素（ＲＥ）にマップされる。新たな制御チャネルは、周波数分割多重（ＦＤＭ）、時分割多重（ＴＤＭ）、又はＦＤＭとＴＤＭとの組み合わせの形式であることができる。
【００３０】
ｅＮＢは、ｅＮＢによって用いられるシステム帯域幅の中心の１．０８ＭＨｚにおいてＰＳＳ、ＳＳＳ、及びＰＢＣＨを送信することができる。ｅＮＢは、ＰＣＦＩＣＨ及びＰＨＩＣＨが送信される各シンボル期間におけるシステム帯域幅全体にわたってそれらのチャネルを送信することができる。ｅＮＢは、システム帯域幅のある部分においてＵＥのグループへＰＤＣＣＨを送信することができる。ｅＮＢは、システム帯域幅の特定の部分において特定のＵＥへＰＤＳＣＨを送信することができる。ｅＮＢは、ＰＳＳ、ＳＳＳ、ＰＢＣＨ、ＰＣＦＩＣＨ、及びＰＨＩＣＨをブロードキャスト方式で全てのＵＥへ送信することができ、ＰＤＣＣＨをユニキャスト方式で特定のＵＥへ送信することができ、ＰＤＳＣＨをユニキャスト方式で特定のＵＥへ送信することもできる。
【００３１】
複数のリソース要素が、各シンボル期間において利用可能である。各リソース要素は、１つのシンボル期間における１つのサブキャリアをカバーすることができ、実数又は複素数であることができる、１つの変調シンボルを送信するために用いられうる。各シンボル期間において参照信号のために用いられなかったリソース要素は、リソース要素グループ（ＲＥＧ）に分類されうる。各ＲＥＧは、１つのシンボル期間に４つのリソース要素を含むことができる。ＰＣＦＩＣＨは、シンボル期間０において、周波数にわたってほぼ等しく間隔が空いた４つのＲＥＧを占有しうる。ＰＨＩＣＨは、１つ又は複数の設定可能なシンボル期間において、周波数にわたって散在しうる３つのＲＥＧを占有しうる。例えばＰＨＩＣＨのための３つのＲＥＧは、全てがシンボル期間０に属することができる、あるいはシンボル期間０、１、及び２に散在することもできる。ＰＤＣＣＨは、最初のＭ個のシンボル期間において、利用可能なＲＥＧから選択されうる、９、１８、３２、又は６４のＲＥＧを占有しうる。ＰＤＣＣＨのためには、ＲＥＧのある組み合わせしか許可されない。
【００３２】
ＵＥは、ＰＨＩＣＨ及びＰＣＦＩＣＨのために用いられる特定のＲＥＧを知ることができる。ＵＥは、ＰＤＣＣＨのためのＲＥＧの様々な組み合わせを検索することができる。検索する組み合わせの数は一般に、ＰＤＣＣＨのために許された組み合わせの数よりも少ない。ｅＮＢは、ＵＥが検索することになる組み合わせのうちのいずれかにおいて、ＰＤＣＣＨをＵＥへ送信することができる。
【００３３】
ＵＥは、複数のｅＮＢのカバレージ内に存在することができる。これらのｅＮＢのうちの１つが、ＵＥにサービス提供するために選択されうる。サービス提供ｅＮＢは、例えば受信電力、経路損失、信号対雑音比（ＳＮＲ）等のような様々な基準に基づいて選択されうる。
【００３４】
図３は、アップリンク・ロング・ターム・エボリューション（ＬＴＥ／−Ａ）通信における典型的なフレーム構成３００を概念的に示すブロック図である。アップリンクのために利用可能なリソース・ブロック（ＲＢ）は、データ・セクションと制御セクションとに分割されうる。制御セクションは、システム帯域幅の両端において形成され、設定可能なサイズを有することができる。制御セクション内のリソース・ブロックは、制御情報の送信のためにＵＥに割り当てられうる。データ・セクションは、制御セクションに含まれないリソース・ブロック全てを含むことができる。図３の設計の結果、データ・セクションは、隣接するサブキャリアを含み、それによって単一のＵＥが、データ・セクション内の隣接するサブキャリア全てを割り当てられることが可能となりうる。
【００３５】
ＵＥは、ｅＮＢへ制御情報を送信するために制御セクション内のリソース・ブロックを割り当てられうる。ＵＥはまた、ｅノードＢへデータを送信するためにデータ・セクション内のリソース・ブロックを割り当てられうる。ＵＥは、制御セクション内の割り当てられたリソース・ブロック３１０ａ及び３１０ｂにおいて、物理アップリンク制御チャネル（ＰＵＣＣＨ）で制御情報を送信することができる。ＵＥは、データ・セクション内の割り当てられたリソース・ブロック３２０ａ及び３２０ｂにおいて、物理アップリンク共有チャネル（ＰＵＳＣＨ）で、データのみ又はデータと制御情報との両方を送信することができる。図３に示すように、アップリンク送信は、サブフレームの両方のスロットに及ぶことができ、周波数全域を動き回ることができる。
【００３６】
ＬＴＥ／−Ａにおいて用いられるＰＳＳ、ＳＳＳ、ＣＲＳ、ＰＢＣＨ、ＰＵＣＣＨ、ＰＵＳＣＨ、及び他のそのような信号及びチャネルは、公的に入手可能な“Evolved Universal Terrestrial Radio Access (E-UTRA); Physical Channels and Modulation”と題された３ＧＰＰ  ＴＳ３６．２１１において説明される。
【００３７】
図１を再び参照すると、無線ネットワーク１００は、ユニット・エリアごとのシステムのスペクトル効率を改善するために、ｅＮＢ１１０の様々なセット（すなわちマクロｅＮＢ、ピコｅＮＢ、及びフェムトｅＮＢ）を用いる。無線ネットワーク１００は、自身のスペクトル・カバレージのためにそのような様々なｅＮＢを用いるので、異種ネットワークとも称されうる。マクロｅＮＢ１１０ａ−ｃは通常、無線ネットワーク１００のプロバイダによって慎重に計画及び配置される。マクロｅＮＢ１１０ａ−ｃは一般に、高い電力レベル（例えば、５Ｗから４０Ｗ）で送信する。一般に大幅に低い電力レベル（例えば、１００ｍＷから２Ｗ）で送信するピコｅＮＢ１１０ｘは、マクロｅＮＢ１１０ａ−ｃによって提供されるカバレージ・エリア内のカバレージ・ホールを取り除き、ホットスポットにおける容量を改善するために比較的無計画に展開されうる。一般に無線ネットワーク１００とは無関係に展開されるフェムトｅＮＢ１１０ｙ−ｚは、それでもなお、それらの管理者によって認証された場合、無線１００への可能なアクセス・ポイントとして、あるいは少なくともリソース調整及び干渉管理の調整を実行するために無線ネットワーク１００の他のｅＮＢと通信することができるアクティブかつ知覚するｅＮＢとして、無線ネットワーク１００のカバレージ・エリアに組み込まれることができる。またフェムトｅＮＢ１１０ｙ−ｚは一般に、マクロｅＮＢ１１０ａ−ｃよりも大幅に低い電力レベル（例えば、１００ｍＷから２Ｗ）で送信する。
【００３８】
例えば無線ネットワーク１００のような異種ネットワークの動作中、各ＵＥは通常、良好な信号品質でｅＮＢ１１０によってサービス提供され、他のｅＮＢから受信される不要な信号は干渉として処理される。そのような動作原理は、有意に次善の性能を導くことができるが、ネットワーク性能における利得は、ｅＮＢ１１０間のインテリジェントなリソース調整、良好なサーバ選択戦略、及び効率的な干渉管理のための高度な技術を用いることによって無線ネットワーク１００内で実現される。
【００３９】
例えばピコｅＮＢ１１０ｘのようなピコｅＮＢは、例えばマクロｅＮＢ１１０ａ−ｃのようなマクロｅＮＢと比べて大幅に低い送信電力を特徴とする。また、ピコｅＮＢは通常、アドホック方式で、例えば無線ネットワーク１００のようなネットワークの各所に配置されることになる。この無計画な展開により、例えば無線ネットワーク１００のような、ピコｅＮＢが配置された無線ネットワークは、低い信号対干渉条件を有する広範囲を有することが予想され、それによって、カバレージ・エリア又はセルの境界上のＵＥ（「セル端」ＵＥ）へのチャネル送信を制御するためのより困難なＲＦ環境のために役立つことができる。更に、マクロｅＮＢａ−ｃとピコｅＮＢ１１０との送信電力レベルの潜在的に大きな差（例えば、およそ２０ｄＢ）は、混合配置において、ピコｅＮＢ１１０ｘのダウンリンク・カバレージ・エリアがマクロｅＮＢ１１０ａ−ｃのカバレージ・エリアよりも大幅に小さくなるであろうことを示す。
【００４０】
しかしアップリンクの場合、アップリンク信号の信号強度はＵＥによって統制されるので、どのタイプのｅＮＢ１１０によって受信される場合も同様になるであろう。ｅＮＢ１１０のためのアップリンク・カバレージ・エリアが大体同じ又は同様である場合、アップリンク・ハンドオフ境界は、チャネル利得に基づいて決定されることになる。これにより、ダウンリンク・ハンドオーバ境界とアップリンク・ハンドオーバ境界との間のミスマッチが生じうる。更なるネットワーク調整がない場合、このミスマッチによって、無線ネットワーク１００におけるサーバ選択あるいはｅＮＢへのＵＥの関連付けは、ダウンリンク及びアップリンクのハンドオーバ境界がより厳密に一致しているマクロｅＮＢのみの同種ネットワークよりも困難になるであろう。
【００４１】
ＬＴＥリリース８規格において提供されるように、サーバ選択が主にダウンリンク受信信号強度に基づく場合、例えば無線ネットワーク１００のような異種ネットワークの混合ｅＮＢ展開の有用性は大幅に減少するであろう。これは、マクロｅＮＢａ−ｃの高いダウンリンク受信信号強度は、利用可能なＵＥ全てを引き付けることになり、ピコｅＮＢ１１０ｘは、自信の非常に弱いダウンリンク送信電力のせいで任意のＵＥをサービス提供することができないので、例えばマクロｅＮＢ１１０ａ−ｃのような高い電力のマクロｅＮＢの大きいカバレージ・エリアが、例えばピコｅＮＢ１１０ｘのようなピコｅＮＢを有するセル・カバレージを分割することの利点を限定するためである。更に、マクロｅＮＢ１１０ａ−ｃは、それらのＵＥに有効にサービス提供するために十分なリソースをおそらく有さないだろう。従って無線ネットワーク１００は、ピコｅＮＢ１１０ｘのカバレージ・エリアを拡大することによって、マクロｅＮＢ１１０ａ−ｃとピコｅＮＢ１１０ｘとの間で負荷を積極的に釣り合わせようと試みることになる。この概念は、範囲拡張と称される。
【００４２】
無線ネットワーク１００は、サーバ選択が決定される方式を変更することによってこの範囲拡張を達成する。ダウンリンク受信信号強度にサーバ選択を基づけるのではなく、選択は、ダウンリンク信号の品質により基づいて選択される。そのような品質ベースの決定の１つにおいて、サーバ選択は、ＵＥへの最小経路損失を提供するｅＮＢの決定に基づくことができる。更に、無線ネットワーク１００は、マクロｅＮＢ１１０ａ−ｃとピコｅＮＢ１１０ｘとの間で等しくリソースを一定して分割することを提供する。しかし、このアクティブな負荷の釣り合わせを用いる場合でも、マクロｅＮＢ１１０ａ−ｃからのダウンリンク干渉は、例えばピコｅＮＢ１１０ｘのようなピコｅＮＢによってサービス提供されるＵＥのために緩和されるべきである。これは、ＵＥにおける干渉除去、ｅＮＢ１１間でのリソース調整等を含む様々な方法によって達成されうる。
【００４３】
例えば無線ネットワーク１００のような範囲拡大を用いる異種ネットワークにおいて、例えばピコｅＮＢ１１０ｘのような低電力のｅＮＢからのサービスをＵＥが取得するために、例えばマクロｅＮＢａ−ｃのような高電力ｅＮＢから送信された強いダウンリンク信号が存在する場合、ピコｅＮＢ１１０ｘは、マクロｅＮＢ１１０ａ−ｃのうちの主に干渉している１つとの制御チャネル及びデータ・チャネルの干渉調整に従事する。干渉調整のための多数の異なる技術が干渉を管理するために用いられうる。例えば、同一チャネル展開におけるセルからの干渉を低減するために、セル間干渉調整（ＩＣＩＣ）が用いられうる。１つのＩＣＩＣメカニズムは、適応性リソース分割である。適応性リソース分割は、あるｅＮＢへサブフレームを割り当てる。第１のｅＮＢに割り当てられたサブフレームにおいて、近隣ｅＮＢは送信をしない。従って、第１のｅＮＢによってサービス提供されるＵＥによって経験される干渉が低減する。サブフレーム割当ては、アップリンク・チャネルとダウンリンク・チャネルとの両方で実行されうる。
【００４４】
例えばサブフレームは、保護されたサブフレーム（Ｕサブフレーム）、禁止されたサブフレーム（Ｎサブフレーム）、及び共通サブフレーム（Ｃサブフレーム）の３クラスの間で割り当てられうる。保護されたサブフレームは、専ら第１のｅＮＢによって用いるために第１のｅＮＢに割り当てられる。保護されたサブフレームは、近隣ｅＮＢからの干渉がないことに基づいて、「クリーン」サブフレームとも称されうる。禁止されたサブフレームは近隣ｅＮＢに割り当てられたサブフレームであり、第１のｅＮＢは、禁止されたサブフレームの間データを送信することが禁止される。例えば第１のｅＮＢの禁止されたサブフレームは、第２の干渉しているｅＮＢの保護されたサブフレームに対応しうる。従って第１のｅＮＢは、第１のｅＮＢの保護されたサブフレーム中に送信している唯一のｅＮＢである。共通サブフレームは、複数のｅＮＢによってデータ送信のために用いられうる。共通サブフレームは、他のｅＮＢからの干渉の可能性があるので、「非クリーン」サブフレームとも称されうる。
【００４５】
少なくとも１つの保護されたサブフレームが、期間ごとに静的に割り当てられる。いくつかの場合、１つの保護されたサブフレームしか静的に割り当てられない。例えば期間が８ミリ秒の場合、８ミリ秒ごとに１つの保護されたサブフレームがｅＮＢへ静的に割り当てられうる。他のサブフレームは動的に割り当てられうる。
【００４６】
適応性リソース分割情報（ＡＲＰＩ）は、非静的に割り当てられたサブフレームが動的に割り当てられることを可能にする。保護されたサブフレーム、禁止されたサブフレーム、又は共通サブフレームのうちのいずれも（それぞれＡＵサブフレーム、ＡＮサブフレーム、ＡＣサブフレームを）動的に割り当てられうる。動的割当ては、例えば１００ミリ秒ごと又はそれ以下で迅速に変化することができる。
【００４７】
異種ネットワークは、異なる電力クラスのｅＮＢを有することができる。例えば３つの電力クラスは、電力クラスが低くなるにつれ、マクロｅＮＢ、ピコｅＮＢ、及びフェムトｅＮＢと定められうる。マクロｅＮＢ、ピコｅＮＢ、及びフェムトｅＮＢが同一チャネル展開にある場合、マクロｅＮＢ（攻撃者ｅＮＢ）の電力スペクトル密度（ＰＳＤ）はピコｅＮＢ及びフェムトｅＮＢ（被害者ｅＮＢ）のＰＳＤよりも大きく、ピコｅＮＢ及びフェムトｅＮＢへの大量の干渉を生成しうる。保護されたサブフレームは、ピコｅＮＢ及びフェムトｅＮＢが有する干渉を低減又は最小化するために用いられうる。すなわち、攻撃者ｅＮＢにおいて禁止されたサブフレームと対応するように、保護されたサブフレームが被害者ｅＮＢのためにスケジュールされうる。
【００４８】
図４は、本開示の１つの態様に従って異種ネットワークにおける時分割多重（ＴＤＭ）分割を示すブロック図である。第１の列のブロックは、フェムトｅＮＢのためのサブフレーム割当てを示し、第２の列のブロックは、マクロｅＮＢのためのサブフレーム割当てを示す。ｅＮＢの各々は、その他のｅＮＢが静的な禁止されたサブフレームを有する間、静的な保護されたサブフレームを有する。例えば、フェムトｅＮＢは、サブフレーム０における禁止されたサブフレーム（Ｎサブフレーム）に対応する、サブフレーム０における保護されたサブフレーム（Ｕサブフレーム）を有する。同様に、マクロｅＮＢは、サブフレーム７における禁止されたサブフレーム（Ｎサブフレーム）に対応する、サブフレーム７における保護されたサブフレーム（Ｕサブフレーム）を有する。サブフレーム１乃至６は、保護されたサブフレーム（ＡＵ）、禁止されたサブフレーム（ＡＮ）、及び共通サブフレーム（ＡＣ）のいずれかとして動的に割り当てられる。サブフレーム５及び６に動的に割り当てられた共通サブフレーム（ＡＣ）の間、フェムトｅＮＢとマクロｅＮＢとの両方がデータを送信することができる。
【００４９】
（例えばＵ／ＡＵサブフレームのような）保護されたサブフレームは、攻撃者ｅＮＢが送信を禁止されているために、低減された干渉及び高いチャネル品質を有する。（例えばＮ／ＡＮサブフレームのような）禁止されたサブフレームは、被害者ｅＮＢが低い干渉レベルでデータを送信することができるように、データ送信をしない。（例えばＣ／ＡＣサブフレームのような）共通サブフレームは、データを送信している近隣ｅＮＢの数に依存するチャネル品質を有する。例えば、近隣ｅＮＢが共通サブフレームでデータを送信している場合、共通サブフレームのチャネル品質は、保護されたサブフレームよりも低くなりうる。また共通サブフレームにおけるチャネル品質は、攻撃者ｅＮＢによって強く影響を及ぼされている広範囲エリア（ＥＢＡ）ＵＥに関して低くなりうる。ＥＢＡ  ＵＥは、第１のｅＮＢに属するが、第２のｅＮＢのカバレージ・エリアにも位置しうる。例えば、フェムトｅＮＢの範囲境界に近いマクロｅＮＢと通信しているＵＥは、ＥＢＡ  ＵＥである。
【００５０】
ＬＴＥ／−Ａにおいて展開されうる別の典型的な干渉管理スキームは、遅順応性干渉管理である。干渉管理に対するこのアプローチを用いると、リソースは、スケジューリング間隔よりも大幅に長い時間スケールにわたってネゴシエート及び割当てされる。このスキームの目的は、時間又は周波数リソースの全てにわたって送信しているｅＮＢ及びＵＥ全てのための送信電力の組み合わせを発見し、ネットワークの総ユーティリティを最大化することである。「ユーティリティ」は、ユーザ・データ・レート、サービス品質（ＱｏＳ）フローの遅延、及びフェアネス・メトリックに応じて定義されうる。そのようなアルゴリズムは、最適化を解決するために用いられる全ての情報にアクセスし、例えばネットワーク・コントローラ１３０（図１）のような送信エンティティの全てにわたって制御する、中央エンティティによって計算されうる。この中央エンティティは、常に実用できるわけではなく、望ましくないことさえある。従って、代替の態様において、ノードのあるセットからのチャネル情報に基づいてリソース利用決定を行う分配アルゴリズムが用いられうる。このように、遅順応性干渉アルゴリズムは、中央エンティティを用いることによって、あるいはネットワーク内のノード／エンティティの様々なセットにアルゴリズムを分配することによって、展開されうる。
【００５１】
例えば無線ネットワーク１００のような異種ネットワークの展開において、ＵＥは、ＵＥが１つ又は複数の干渉ｅＮＢからの高い干渉を観察しうる干渉優勢シナリオにおいて動作することがある。干渉優勢シナリオは、制限された関連付けによって起こりうる。例えば図１において、ＵＥ１２０ｙは、フェムトｅＮＢ１１０ｙに近接しており、ｅＮＢ１１０ｙに関して高い受信電力を有することができる。しかしＵＥ１２０ｙは、制限された関連付けによってフェムトｅＮＢ１１０ｙにアクセスすることができないので、（図１に示すように）マクロｅＮＢ１１０ｃに接続しうる、あるいは（図１には示さないが）低い受信電力しか有さないフェムトｅＮＢ１１０ｚに接続しうる。するとＵＥ１２０ｙは、ダウンリンクにおいてフェムトｅＮＢ１１０ｙからの高い干渉を観察し、アップリンクにおいてｅＮＢ１１０ｙへの高い干渉の原因にもなりうる。調整された干渉管理を用いると、ｅＮＢ１１０ｃ及びフェムトｅＮＢ１１０ｙは、リソースをネゴシエートするためにバックホール１３４を介して通信することができる。このネゴシエーションにおいて、フェムトｅＮＢ１１０ｙは、自身のチャネル・リソースのうちの１つにおける送信を中断することに同意し、それによってＵＥ１２０ｙは、同一のチャネルを介してｅＮＢ１１０ｃと通信する場合ほどの高いフェムトｅＮＢ１１０ｙからの干渉を経験しないであろう。
【００５２】
そのような干渉優勢シナリオにおいて、ＵＥで観察される信号電力の不一致に加えて、ＵＥと複数のｅＮＢとの間の様々な距離が原因となり、同期システムにおいてさえ、ダウンリンク信号のタイミング遅延がＵＥによって観察されることもある。同期システムにおけるｅＮＢは、システム中で同期されると仮定される。しかし例えばマクロｅＮＢから５ｋｍの距離にあるＵＥを考慮すると、そのマクロｅＮＢから受信される任意のダウンリンク信号の伝播遅延は、およそ１６．６７μｓ（５ｋｍ÷３×１０８、すなわち光速「ｃ」）遅延するであろう。マクロｅＮＢからのダウンリンク信号と、より近いフェムトｅＮＢからのダウンリンク信号とを比較すると、タイミング差は有効期間（ＴＴＬ）エラーのレベルに達しうる。
【００５３】
更に、そのようなタイミング差は、ＵＥにおける干渉除去に影響を及ぼしうる。干渉除去はしばしば、同一信号の複数のバージョンの組み合わせ間での相互相関プロパティを用いる。同一信号の複数のコピーを結合することによって、信号の各コピーに干渉が存在するが、それはおそらく同じ場所にないので、干渉が容易に識別されうる。結合信号の相互相関を用いると、実際の信号部分が決定され干渉と区別されうるので、干渉を除去することが可能となる。
【００５４】
図５は、図１における基地局／ｅＮＢのうちの１つ及びＵＥのうちの１つであることができる基地局／ｅＮＢ１１０及びＵＥ１２０の設計のブロック図を示す。制限された関連付けシナリオの場合、ｅＮＢ１１０は図１のマクロｅＮＢ１１０ｃであり、ＵＥ１２０はＵＥ１２０ｙであることができる。ｅＮＢ１１０は、別のタイプの基地局であることもできる。ｅＮＢ１１０は、アンテナ５３４ａ乃至５３４ｔを備えることができ、ＵＥ１２０は、アンテナ５５２ａ乃至５５２ｒを備えることができる。
【００５５】
ｅＮＢ１１０において、送信プロセッサ５２０は、データ・ソース５１２からのデータ及びコントローラ／プロセッサ５４０からの制御情報を受信することができる。制御情報は、ＰＢＣＨ、ＰＣＦＩＣＨ、ＰＨＩＣＨ、ＰＤＣＣＨ等に関することができる。データは、ＰＤＳＣＨ等に関することができる。プロセッサ５２０は、データ・シンボル及び制御シンボルをそれぞれ取得するためにデータ及び制御情報を処理（例えば、符号化及びシンボル・マップ）することができる。プロセッサ５２０は、例えばＰＳＳ、ＳＳＳ、及びセル指定参照信号といった参照シンボルを生成することもできる。送信（ＴＸ）複数入力複数出力（ＭＩＭＯ）プロセッサ５３０は、妥当な場合、データ・シンボル、制御シンボル、及び／又は参照シンボルに空間処理（例えば、前符号化）を実行することができ、変調器（ＭＯＤ）５３２ａ乃至５３２ｔへ出力シンボル・ストリームを提供することができる。各変調器５３２は、出力サンプル・ストリームを取得するために（例えば、ＯＦＤＭ等に関する）それぞれの出力シンボル・ストリームを処理することができる。各変調器５３２は、ダウンリンク信号を取得するために出力サンプル・ストリームを更に処理（例えば、アナログ変換、増幅、フィルタ、及びアップコンバート）することができる。変調器５３２ａ乃至５３２ｔからのダウンリンク信号は、それぞれアンテナ５３４ａ乃至５３４ｔを介して送信されうる。
【００５６】
ＵＥ１２０において、アンテナ５５２ａ乃至５５２ｒは、ｅＮＢ１１０からのダウンリンク信号を受信することができ、受信信号を復調器（ＤＥＭＯＤ）５５４ａ乃至５５４ｒへそれぞれ提供することができる。各復調器５５４は、入力サンプルを取得するためにそれぞれの受信信号を調整（例えば、フィルタ、増幅、ダウンコンバート、及びデジタル化）することができる。各復調器５５４は、受信シンボルを取得するために（例えば、ＯＦＤＭ等に関する）入力サンプルを更に処理することができる。ＭＩＭＯ検出器５５６は、復調器５５４ａ乃至５５４ｒ全てからの受信シンボルを取得し、妥当な場合、受信シンボルにＭＩＭＯ検出を実行し、検出されたシンボルを提供することができる。受信プロセッサ５５８は、検出されたシンボルを処理（例えば、復調、デインタリーブ、及び復号）し、ＵＥ１２０のための復号されたデータをデータ・シンク５６０へ提供し、復号された制御情報をコントローラ／プロセッサ５８０へ提供することができる。
【００５７】
アップリンクにおいて、ＵＥ１２０において、送信プロセッサ５６４は、データ・ソース５６２からの（例えば、ＰＵＳＣＨに関する）データ及びコントローラ／プロセッサ５８０からの（例えば、ＰＵＣＣＨに関する）制御情報を受信及び処理することができる。プロセッサ５６４は、参照信号のための参照シンボルを生成することもできる。送信プロセッサ５６４からのシンボルは、妥当な場合、ＴＸ  ＭＩＭＯプロセッサ５６６によって処理され、（例えば、ＳＣ−ＦＤＭ等に関して）復調器５５４ａ乃至５５４ｒによって更に処理され、ｅＮＢ１１０へ送信されうる。ｅＮＢ１１０において、ＵＥ１２０からのアップリンク信号はアンテナ５３４によって受信され、変調器５３２によって処理され、妥当な場合ＭＩＭＯ検出器５３６によって検出され、ＵＥ１２０によって送信されたデータ及び制御情報を取得するために受信プロセッサ５３８によって更に処理されうる。プロセッサ５３８は、復号されたデータをデータ・シンク５３９へ提供し、復号された制御情報をコントローラ／プロセッサ５４０へ提供することができる。
【００５８】
コントローラ／プロセッサ５４０及び５８０はそれぞれ、ｅＮＢ１１０及びＵＥ１２０における動作を指示することができる。ｅＮＢ１１０におけるプロセッサ５４０及び／又は他のプロセッサ及びモジュールは、本明細書で説明された技術のための様々な処理の実行を実行又は指示することができる。またＵＥ１２０におけるプロセッサ５８０及び／又は他のプロセッサ及びモジュールは、図８、１０乃至１２、及び１５乃至１７に示された機能ブロック及び／又は本明細書で説明された技術のための他の処理の実行を実行又は指示することができる。メモリ５４２及び５８２はそれぞれ、ｅＮＢ１１０及びＵＥ１２０のためのデータ及びプログラム・コードを格納することができる。スケジューラ５４４は、ダウンリンク及び／又はアップリンクにおけるデータ送信のためにＵＥをスケジュールすることができる。
【００５９】
空間多重を用いる異種ネットワークにおいて、ｅＮＢは、ダウンリンク送信において同一の周波数を用いて複数のデータ・ストリーム又は層をＵＥへ送信することができる。そのような層又はストリームの数は、ランクとして定義される。ＬＴＥ  Ｒｅｌ−８の場合、ＵＥは、ダウンリンク・チャネルを推定し、各サブフレームについて、推奨されたランク・インジケータ（ＲＩ）をｅＮＢへ報告する。ＵＥはまた、サブフレームに関するチャネル品質インジケータ（ＣＱＩ）及び前符号化マトリクス・インジケータ（ＰＭＩ）も報告する。これらのインジケータが、ｅＮＢのための推奨されたチャネル・プロパティのセットを形成する。ＵＥからのこのフィードバック（ＲＩ／ＰＭＩ／ＣＱＩ）を受信すると、ｅＮＢは、対応するダウンリンク・スケジューリングを実行する。
【００６０】
ランク・インジケータ、ＣＱＩ、及びＰＭＩは、物理アップリンク制御チャネル（ＰＵＣＣＨ）においてＵＥからｅＮＢへフィードバックされる。ランク・インジケータ、ＣＱＩ、及びＰＭＩは、定期的に報告されるが、異なる周期で報告される。ランク・インジケータ・フィードバック周期はしばしば、ＣＱＩの周期よりも長い。更に、ランク・インジケータ報告とＣＱＩ報告とが異なるサブフレームにおいて発生することを確実にするために、ランク・インジケータ報告サブフレームとＣＱＩ報告サブフレームとの間にオフセットが存在する。ＬＴＥ  Ｒｅｌ−８は、ランク・インジケータ及びＣＱＩが同じサブフレーム内で報告されないことを提供する。この別々に報告することを確実にするように、ランク・インジケータ報告オフセットはしばしば、ＣＱＩ報告オフセットに関連して定められることになる。ＬＴＥ  Ｒｅｌ−８におけるランク・インジケータのための周期の典型的な値は、（１ｍｓ、２ｍｓ、５ｍｓ、１０ｍｓ、２０ｍｓ、４０ｍｓ、ＯＦＦ）である。ランク・インジケータ報告周期及びオフセットは、ｅＮＢによってラジオ・リソース制御（ＲＲＣ）メッセージでＵＥへ送信されうる。
【００６１】
異なるサブフレーム・タイプのＣＱＩは異なりうる。例えば保護されたサブフレームのＣＱＩは、共通サブフレームのＣＱＩよりも大幅に高くなりうる。多くのダウンリンク送信モードにおいて、ＣＱＩは、ランク・インジケータにおいて調整される。サブフレームをスケジュールする際、ｅＮＢは、スケジューリングのために考慮される各サブフレームのための正しいＣＱＩを知っていなければならない。例えば、ｅＮＢが共通サブフレームをスケジューリングする場合、保護されたサブフレームのＣＱＩは楽観的過ぎるので、ｅＮＢは、保護されたサブフレームのＣＱＩを用いるべきではない。以下の説明はＣＱＩに関するが、任意のタイプのチャネル品質推定が本開示の範囲内であると考慮されることに留意されたい。
【００６２】
ｅＮＢは、ｅＮＢを取得するためにＵＥによって用いるための共通参照信号（ＣＲＳ）をブロードキャストし、ダウンリンクＣＱＩ測定を実行し、ダウンリンク・チャネル推定を実行する。任意の特定のｅＮＢのＣＲＳ信号が、そのｅＮＢに関してデータを送信することが制限されているであろうサブフレームも含む全てのタイプのサブフレームで送信される。新型ＵＥは、オーバラップするＣＲＳを識別することを可能にするＣＲＳ干渉除去（ＲＳ−ＩＣ）機能を有することができる。しかし、レガシＵＥ及びＲＳ−ＩＣ機能のないＵＥがセル内で機能することを可能にするために、ｅＮＢは、オーバラップするＣＲＳを回避するように設計されうる。例えばセル内に複数の異なる電力クラスのｅＮＢが存在している場合、異なるｅＮＢのＣＲＳが衝突しないように、ＣＲＳはオフセットされる。ＬＴＥにおいて、ｅＮＢ送信機アンテナの数（１及び２のそれぞ）に依存して一般的に６又は３のいずれかの利用可能なＣＲＳオフセット、及び一般に３つのみの異なる電力クラスが存在する。
【００６３】
クリーン・サブフレームの間にＵＥがＣＱＩ測定を実行する場合、攻撃者ｅＮＢがサイレントであるためにＣＱＩ測定値は高くなるだろう。しかし非クリーン・サブフレームにおいてＵＥによって実行されたＣＱＩ測定値は、クリーン・サブフレームの測定値よりも低くなりうる。例えば、非クリーン・サブフレーム中に攻撃者ｅＮＢが送信している場合、共通サブフレームのＣＱＩは低くなるが、非クリーン・サブフレーム中に攻撃者ｅＮＢが送信していない場合、ＣＱＩはクリーン・サブフレームと同じくらい高くなりうる。ＣＱＩは、攻撃者ｅＮＢのダウンリンク・バッファに相関付けられうる。例えば、攻撃者ｅＮＢのダウンリンク・バッファが一杯である場合、ＣＱＩは低くなりうるが、攻撃者ｅＮＢのダウンリンク・バッファが空である場合、ＣＱＩは高くなりうる。
【００６４】
サブフレーム割当ては、セル内のｅＮＢ間で干渉を調整するために用いられるので、セル内の干渉パターンに相関付けられうる。セル内のサブフレーム割当て及びそれに伴い干渉パターンは定期的に繰り返す。例えばいくつかのセルにおいて干渉パターンは８ミリ秒ごとに繰り返す。ＣＱＩ報告周期は２ミリ秒ほどに短くなりうるが、規格に準拠すると、８ミリ秒の倍数である、８ミリ秒が最小ＣＱＩ報告周期である。従って報告周期の整数倍全てにおいて、ＵＥはＣＱＩ測定を実行し、ＵＥにサービス提供しているｅＮＢへＣＱＩ報告を送信する。
【００６５】
例えばサブフレームが動的に割り当てられる場合あるいはＵＥが高速で移動している場合のようないくつかのシチュエーションにおいて、４０ミリ秒周期のＣＱＩ報告は、ｅＮＢに最新の情報を提供するためには不十分である。更に、セル内の割当ての周期の倍数である報告周期を提供すると、その結果、１つのサブフレーム・タイプ（クリーン又は非クリーン）のみが測定され、ＣＱＩ測定値を通してｅＮＢへ報告されることになる。この場合、ＵＥのＣＱＩ測定によってクリーン・サブフレームが測定されるか非クリーン・サブフレームが測定されるかは、ＲＲＣメッセージを通してＵＥに示されたサブフレーム・オフセットに依存する。
【００６６】
従ってＣＱＩは、ダウンリンク・スケジューリングを実行するための情報をｅＮＢへ提供するための重要なインジケータである。あるシチュエーションにおいて、ＣＱＩは、サブフレームのタイプに関する正確な情報を提供しないことがある。ＣＱＩ測定値のように、異なるサブフレーム・タイプのランク・インジケータは異なりうる。例えば保護されたサブフレームのランク・インジケータは、共通サブフレームのランク・インジケータよりも高くなりうる。多くのダウンリンク送信モードにおいて、ＣＱＩは、最後に報告されたランク・インジケータにおいて調整される。関連する周期及びオフセットに依存して、クリーン・サブフレームにおいて評価されたランク・インジケータが、非クリーン・サブフレームに属す次に報告されるＣＱＩのベースとして用いられうる場合がある。この場合、ＣＱＩは不一致となり、非効率的な可能性のあるダウンリンク・スケジューリングを招きうる。
【００６７】
最新のランク・インジケータ推定に用いられたものと同一のサブフレーム・タイプでＣＱＩが推定されることが確実であることが望ましいが、これは、現行の規格では常に可能であるわけではない。またランク・インジケータ及びＣＱＩは同一の報告周期に割り当てられることができ、これにより一致性が確実になりうる。しかし、上述したように、現行の規格は、ランク・インジケータ及びＣＱＩが同一サブフレームで報告することを禁止している。
【００６８】
本開示の選択された態様の目的のために、特定のサブフレーム・パターンは、定期的に報告することが想定される。更に、ＣＲＳが主要な干渉者のＣＲＳ又はデータと衝突するかに関わらず、そのような選択された態様におけるＵＥは、必要であればＣＲＳ−ＩＣを実行するために、干渉者が、そのサブフレームで送信することができるか否かを知ることができると想定される。
【００６９】
本開示の１つの態様において、ＣＱＩ及びランク・インジケータはともに２ｍｓの報告周期を割り当てられるが、異なるオフセットを有することができる。例えばＵＥは、偶数サブフレームにおいてランク・インジケータを報告し、奇数サブフレームにおいてＣＱＩが報告されうる。この設定は、クリーン・サブフレームと非クリーン・サブフレームとが、少なくともインタレース期間ごとに一回、奇数サブフレームと偶数サブフレームとの両方にある場合、不一致の報告を減少させることができる。しかし、この特定の態様の場合でさえ、不一致は生じうる。ここで説明される態様においてそのような不一致を低減するために、ランク・インジケータが評価されるサブフレーム及び直後のサブフレームにおいて、クリーンと非クリーン又は非クリーンとクリーンとの間の遷移の数を低減することが役立ちうる。そのような態様において、可能な限り多く、サブフレームｎ及びサブフレームｎ＋１（ｎは偶数）について同一の割当てを有することが望ましい。
【００７０】
図６は、本開示の１つの態様に従って構成される無線ネットワーク内のｅＮＢとＵＥとの間で送信されるデータ・ストリーム６０を示すブロック図である。データ・ストリーム６０は、インタレース期間６０２乃至６０４である周期的なインタレースに分割される。インタレース期間６０２乃至６０４の各々において、サブフレーム０乃至７は特定のサブフレーム・タイプに割り当てられる。例えばサブフレーム０はサービス提供セルのための静的な保護された／クリーン・タイプ（Ｕ）に割り当てられ、サブフレーム１はサービス提供セルのための動的に割り当てられた保護された／クリーン・タイプ（ＡＵ）に割り当てられ、サブフレーム３はサービス提供セルのための動的に割り当てられた共通／非クリーン・タイプ（ＡＣ）に割り当てられ、サブフレーム７はサービス提供セルのための静的な禁止された／非クリーン・タイプに割り当てられ、と続く。説明された態様において、ｅＮＢは２ｍｓのランク・インジケータ報告期間６００及び２ｍｓのＣＱＩ報告期間６０１をＵＥに割り当てる。ＣＱＩ報告期間６０１はまた、ランク・インジケータがＣＱＩ推定値と異なるサブフレームで報告されるように、ランク・インジケータ報告期間６００と異なるようにオフセットされる。
【００７１】
一般に、ランク・インジケータ又はＣＱＩいずれかの報告は、推定が発生した４ｍｓ後に発生する。従って、ランク・インジケータがサブフレーム０において推定された場合、推定されたランク・インジケータは、サブフレーム４で報告されることになる。一般的な４ｍｓのルールには例外（例えば、時分割二重（ＴＤＤ）パターン、マルチキャスト・ブロードキャスト・シングル周波数ネットワーク（ＭＢＳＦＮ）サブフレーム、測定ギャップ等）がある。そのような特別な場合、報告は、４ｍｓ又はそれ以上遅れるだろう。本開示の態様は、インタレース期間ごとに少なくとも一回、奇数サブフレーム及び偶数サブフレームの両方にあるようにクリーン・サブフレーム及び非クリーン・サブフレームを提供する。例えばインタレース期間６０２において、クリーン・サブフレームは少なくともサブフレーム０及び１に存在し、非クリーン・サブフレームは少なくともサブフレーム２及び３に存在する。
【００７２】
クリーンと非クリーン又は非クリーンとクリーンとの間の遷移のネゴシエートは、ランク・インジケータを推定するために用いられたサブフレームの直後のサブフレームが、推定のために用いられたサブフレームと同一のタイプを割り当てられるように構成されうることが留意されるべきである。例えば、サブフレーム４において、ＵＥは、ランク・インジケータを報告するようにスケジュールされる。推定と報告との間のオフセットは４ｍｓなので、サブフレーム４において報告されるランク・インジケータは、サブフレーム０において推定された。サブフレーム４の後に報告するためにスケジュールされた次のＣＱＩは、サブフレーム５に関する。従って推定のために用いられることになるサブフレームはサブフレーム１である。サブフレーム１はクリーン・サブフレーム（ＡＵ）である。また、サブフレーム１のＣＱＩ推定値が調整されるランク・インジケータもクリーン・サブフレームである。従って、サブフレーム０とサブフレーム１との間の遷移を管理することによって、サブフレーム５において報告される、サブフレーム１におけるＣＱＩ推定値は一致する。
【００７３】
本開示の別の態様において、ＣＱＩ及びランク・インジケータの両方が、５ｍｓの報告周期及び異なるオフセットを割り当てられる。５ｍｓとインタレース期間持続期間とは異なるプライム値を有するので、ＣＱＩ推定値及びランク・インジケータ評価の両方が、全てのインタレース・サブフレーム・タイプにおいて実行されることになる。５ｍｓ周期の場合、特に各期間において１つのクリーン・サブフレーム又は１つの非クリーン・サブフレームしかない場合、レイテンシが問題となりうる。しかし、５ｍｓの周期の場合、レイテンシは通常、４０ｍｓより長くはならないであろう。
【００７４】
本開示のこの特定の態様の場合でも、やはり不一致は発生しうる。従って、そのような不一致のＣＱＩの数を低減するために、ＣＱＩとランク・インジケータとの間のオフセットが選択されうる。
【００７５】
図７は、本開示の１つの態様に従って構成された無線ネットワークにおけるｅＮＢとＵＥとの間で送信されるデータ・ストリーム７０を示すブロック図である。データ・ストリーム７０は、インタレース期間６０２乃至６０４の周期的なインタレースに分割される。インタレース６０２乃至６０４の各々において、サブフレーム０乃至７は特定のサブフレーム・タイプに割り当てられる。例えば、サブフレーム０はサービス提供セルのための静的な保護された／クリーン・タイプ（Ｕ）に割り当てられ、サブフレーム１はサービス提供セルのための動的に割り当てられた保護された／クリーン・タイプ（ＡＵ）に割り当てられ、サブフレーム３はサービス提供セルのための動的に割り当てられた共通／非クリーン・タイプ（ＡＣ）に割り当てられ、サブフレーム７はサービス提供セルのための静的な禁止された／非クリーン・タイプ（Ｎ）に割り当てられ、と続く。説明された態様において、ｅＮＢは、５ｍｓのランク・インジケータ報告期間７００及び５ｍｓのＣＱＩ報告期間７０１をＵＥに割り当てる。ＣＱＩ報告期間７０１はまた、ランク・インジケータがＣＱＩ推定値とは異なるサブフレームにおいて報告されるように、ランク・インジケータ報告期間７００と異なるようにオフセットされる。周期を５ｍｓに割り当てることによって、ｅＮＢは、パターン内のサブフレームの全てがデータ・ストリーム７０において推定されることを確実にする。従って、クリーンと非クリーン、又は非クリーンとクリーンとの間の遷移のタイミング又はパターンの取り決めは、必ずしも説明された態様が意図されたように動作するかの決定要因とはならない。
【００７６】
本開示の別の態様において、ＣＱＩ及びランク・インジケータの両方が、８ｍｓの倍数にはならずに８ｍｓよりも長くなると想定される同一の周期を割り当てられる。８ｍｓの倍数である周期は、１つのサブフレーム・タイプしか報告されないという結果をもたらすことになる。長い周期が割り当てられる場合、オフセットは、ランク・インジケータが特定のサブフレーム、サブフレームｎにおいて推定された場合、次のＣＱＩがサブフレームｎ＋８において推定される（例えば、オフセットは８サブフレームになりうる）ように設計される。従って、定義により、（サブフレーム割当ての変更がないと仮定すると）ランク・インジケータ報告と次のＣＱＩ報告とが同一のサブフレーム・タイプを参照することになる。
【００７７】
ＣＱＩ報告のためのより高い周期性及び報告されたＣＱＩがクリーン・サブフレームと非クリーン・サブフレームとの間で変更することの結果、あるシチュエーションにおいて高いレイテンシが生じうることが留意されるべきである。しかしこのレイテンシは、低い移動性のシナリオをもたらす決定要因にはならないだろう。
【００７８】
図８は、本開示の１つの態様を実現するために実行されるブロック例を示す機能ブロック図である。ブロック８００において、ランク・インジケータ推定処理及びＣＱＩ推定処理に報告期間が割り当てられ、この場合、報告期間は、インタレース期間よりも長いがインタレース期間の倍数ではない。ブロック８０１において、第１の報告オフセットが、ランク・インジケータ推定処理に割り当てられる。ブロック８０２において、第２の報告オフセットがＣＱＩ推定処理に割り当てられ、第１及び第２の報告オフセットは、レート・インジケータが第１の参照サブフレームにおいて推定された場合、第１の参照サブフレーム足すインタレース期間に等しい次のサブフレームにおいて次のＣＱＩが推定されるように選択される。ブロック８０３において、ランク・インジケータ推定処理の結果であるランク・インジケータ及びＣＱＩ推定処理の結果であるＣＱＩが、異なるサブフレーム中に受信される。
【００７９】
本開示の別の態様において、新たな追加のオフセットが定められる。現在のＬＴＥ  Ｒｅｌ−８において、推定のため（例えば、ランク・インジケータ又はＣＱＩを推定するため）に用いられるサブフレームと、推定を報告又はフィードバックするために用いられるサブフレームとの間のオフセットはきっちり定められている。これは、コリジョンがＣＱＩをパンクさせるので、ランク・インジケータ及びＣＱＩ推定値が同時に報告されることはできないという理由による。従って、現在のＲｅｌ−８規格において、ランク・インジケータ及びＣＱＩは、同一サブフレーム内でまとめて測定されることもない。本態様は、推定のために用いられるサブフレームに対してＣＱＩ報告を更に遅延させるように定められた新たなオフセットを追加する。
【００８０】
広帯域ＣＱＩ／ＰＭＩのための一般的な報告期間は、以下を満たすサブフレームとして定義される。  
【数１】
2013542672.tif 000003
【００８１】
この場合、ｎｆはシステム・フレーム番号であり、ｎｓはスロット番号であり、ＮＯＦＦＳＥＴ．ＣＱＩはＣＱＩオフセットであり、ＮｐはＣＱＩ周期である。時間領域において、ＣＱＩ参照リソースは、単一のダウンリンク・サブフレーム、サブフレームｎ−ｎＣＱＩ＿ｒｅｆによって定められ、周期的ＣＱＩ報告に関して、ｎＣＱＩ＿ｒｅｆは、有効なダウンリンク・サブフレームに対応するように、４以上の最小値として定められる。新たなオフセットであるｎＣＱＩ＿ｅｓｔ＿ｏｆｆｓｅｔは、ダウンリンク・サブフレーム、サブフレームｎ−ｎＣＱＩ＿ｒｅｆ、−ｎＣＱＩ＿ｅｓｔ＿ｏｆｆｓｅｔを定めるために、ＣＱＩ参照リソースに追加されうる。この新たなオフセットは、ランク・インジケータ及びＣＱＩ推定値の両方のために同一サブフレームが用いられるように設計されうる。従って、ランク・インジケータ及びＣＱＩは同一サブフレームにおいて推定されうるが、新たなオフセットにより、対応する報告は同一サブフレーム内では発生しないであろう。
【００８２】
ここで説明された本開示の態様において、ランク・インジケータ及びＣＱＩは同一の報告周期を有さなければならないことが留意されるべきである。
【００８３】
図９は、本開示の１つの態様に従って構成された無線ネットワークにおけるｅＮＢとＵＥとの間で通信されるデータ・ストリーム９０のインタレース期間６０２を示すブロック図である。現行の規格において、ランク・インジケータ及びＣＱＩが同一サブフレーム内で推定される場合、推定と報告との間のオフセットにより、ランク・インジケータ及びＣＱＩの両方が同一サブフレーム中にｅＮＢへ報告されるという結果が生じる。このランク・インジケータとＣＱＩとのコリジョンにより、ＣＱＩがパンクさせられ、ｅＮＢにとって役に立たない状態にされることになる。しかし、図９に関して説明された態様例において、ランク・インジケータ推定９００及びＣＱＩ推定９０１は、同一サブフレーム、サブフレーム０で実行される。報告オフセット９０２を用いると、サブフレーム０において推定されたランク・インジケータは、（例えば特定のＴＤＤパターン、ＭＢＳＦＮサブフレーム、測定ギャップ等のような特別の場合がないと仮定すると）サブフレーム４の間にｅＮＢへ報告される。報告オフセット９０２はまた、サブフレーム０において推定されたＣＱＩにも適用される。ＵＥは、ｅＮＢからの情報要素に追加された追加オフセット９０３により、推定されたＣＱＩをサブフレーム４において報告しないであろう。追加オフセット９０３は、サブフレーム０で推定されたＣＱＩをサブフレーム６で報告するようにＵＥをトリガする。従って、追加オフセット９０３を用いると、ＵＥは、ランク・インジケータ及びＣＱＩ両方を同一サブフレームにおいて推定することができるので、不一致のＣＱＩがｅＮＢへ報告されない。
【００８４】
本開示の別の態様において、ｅＮＢは、８ｍｓの整数倍にならないようにＲＩ周期を設定する。従って、ランク・インジケータは、クリーン・インタレース及び非クリーン・インタレースの両方を通して進むことになる。ＣＱＩ報告周期は、ランク・インジケータ報告周期よりも小さくなるように割り当てられる。ここで説明される態様において、最新のランク・インジケータの後に報告された第１のＣＱＩ推定値は、その最新のランク・インジケータにおいて調整される。しかし最新のランク・インジケータの後に報告された第２のＣＱＩ推定値は、以前報告されたランク・インジケータにおいて調整される。最新のランク・インジケータの後に報告された次のＣＱＩ推定値は再び最新のランク・インジケータにおいて調整される。ＣＱＩ推定値は、最新のランク・インジケータにおける調整と、以前のランク・インジケータにおける調整とを交互に行われ続ける。ｅＮＢは、全てのサブフレーム割当て及び全ての周期を知っている。従ってｅＮＢは、報告されたＣＱＩがクリーン・サブフレーム又は非クリーン・サブフレームを参照するかを知っており、またそれが不一致であるかを知ることになる。ｅＮＢは、不一致の報告されたＣＱＩを破棄するか、あるいは正しいランク・インジケータを見積もるためにそれを処理するかのいずれかを決定することができる。
【００８５】
図１０は、本開示の１つの態様を実現するために実行されるブロック例を示す機能ブロック図である。ブロック１０００において、ＲＩ推定処理のためにＲＩ報告周期の割当てが受信され、この場合ＲＩ報告周期は、インタレース期間の整数倍ではない。ブロック１００１において、ＲＩ報告周期よりも小さいＣＱＩ報告周期が受信される。ブロック１００２において、現在報告されているＲＩにおいて調整された第１のＣＱＩがｅＮＢへ報告される。ブロック１００３において、以前報告されているＲＩにおいて調整された第２のＣＱＩがｅＮＢへ報告される。ブロック１００４において、現在報告されているＲＩにおいて調整された第３のＣＱＩがｅＮＢへ報告される。ブロック１００５において、以前用いられた現在報告されたＲＩ又は以前報告されたＲＩのいずれかの反対の一方である、反対のＲＩにおいて調整された後続ＣＱＩがｅＮＢへ報告される。
【００８６】
本開示の別の態様は、ランク・インジケータ及びＣＱＩが異なる報告期間を有し、ランク・インジケータ報告がクリーン・サブフレームと非クリーン・サブフレームとを交互に用いることができるシナリオに適用される。この態様において、（ランク・インジケータ報告よりも頻繁に報告するように時間を決められうる）ＣＱＩ報告は、正しいランク・インジケータが最後に報告されたランク・インジケータであるか否かに関わらず正しいランク・インジケータに調整される。
【００８７】
この態様において、異種ネットワークにおける特徴に準拠したＵＥ（ＨｅｔＮｅｔ対応ＵＥ）が用いられる。ＨｅｔＮｅｔ対応ＵＥは、静的なサブフレーム割当てを識別する半静的リソース分割情報（ＳＲＰＩ）を受信するように構成される。報告された最後のランク・インジケータが第１の参照サブフレーム・タイプに基づいた場合、ＨｅｔＮｅｔ対応ＵＥは、ＬＴＥ  Ｒｅｌ−８仕様書に従って推定のために用いられるべきサブフレームより前に配置された第２の参照サブフレーム・タイプのサブフレームを識別するために、ＳＲＰＩ情報を用いる。この第２の参照サブフレーム・タイプである最も近いサブフレームはその後、次のランク・インジケータ推定のために用いられ、Ｒｅｌ−８仕様書に従って報告される。各後続ランク・インジケータ推定について、ＨｅｔＮｅｔ対応ＵＥは、ランク・インジケータ推定が交互に起こることを確実にするために、ＳＲＰＩ情報を用いて１つおきのサブフレーム・タイプのサブフレームを決定することになる。
【００８８】
ＣＱＩ報告はまた、クリーンな推定されたサブフレームと非クリーンな推定されたサブフレームとを交互に用いるであろう。例えば、最新のＣＱＩ報告が非クリーン・サブフレームに関すると仮定する。ＨｅｔＮｅｔ対応ＵＥは、次のＣＱＩ推定のために、ＬＴＥ  Ｒｅｌ−８によって定められたように、用いられるべきであったサブフレームに最も近いクリーン・サブフレームを捜し当てるためにＳＲＰＩ情報を用いるであろう。この最も近いクリーン・サブフレームはその後、Ｒｅｌ−８規格を通して示された同一のサブフレームにおいて報告が実行されている間、ＣＱＩ推定のために用いられる。従ってＣＱＩ推定は、ＤＲＰＩ情報からのサブフレーム・タイプの知らせに基づいて正しいランキング・インジケータに基づくことになる。
【００８９】
割り当てられたＣＱＩ報告期間が十分に小さい場合、同一タイプの２つの連続したＣＱＩ報告が同一サブフレームに基づいて推定されることが起こる可能性がある。従ってこの特定の例において、第２のＣＱＩ推定値は、第１のＣＱＩ推定値と同一になるであろう。しかし第２のＣＱＩ推定値は実現された報告規格に従って報告される。ＨｅｔＮｅｔ対応ＵＥは、そのような後続ＣＱＩ推定値が同一であり、以前推定されたＣＱＩを後続する報告期間に再送信するだけである場合を判定することができる。
【００９０】
追加の又は代替の態様において、ＨｅｔＮｅｔ対応ＵＥは、静的に割り当てられたサブフレームのためにＳＲＰＩを用いることに加え、適応可能に割り当てられたサブフレームをブラインド復号するように構成されることが更に留意されるべきである。適応可能に割り当てられたサブフレームのためにブラインド復号を用いる場合、ＨｅｔＮｅｔ対応ＵＥは、期間内の８つ全てのサブフレームのタイプを知ることが可能である。そのようにＨｅｔＮｅｔ対応ＵＥは、ＣＱＩのためにどのサブフレームが推定するかを決定する場合、この改善された情報を用いることができる。
【００９１】
図１１は、本開示の１つの態様を実現するために実行されるブロック例を示す機能ブロック図である。ブロック１１００において、インタレース期間における静的インタレース・サブフレーム割当てを識別するＳＲＰＩが受信される。ブロック１１０１において、第１の参照サブフレーム・タイプと第２の参照サブフレーム・タイプとの間でＲＩ報告を交互に行うように割当てが受信される。ブロック１１０２において、ＲＩを推定するために識別される、第１の参照サブフレーム・タイプである第１の参照サブフレームがＳＲＰＩを用いて識別される。ブロック１１０３において、次のＲＩを推定するために識別される、第２の参照サブフレーム・タイプである次のサブフレームがＳＲＰＩを用いて識別される。ブロック１１０４において、第１の参照サブフレーム・タイプに関連付けられたＣＱＩを推定するために識別される、第１の参照サブフレーム・タイプである第１のＣＱＩサブフレーム及び対応するランク・インジケータがＳＲＰＩを用いて識別される。ブロック１１０５において、第２の参照サブフレーム・タイプに関連付けられた次のＣＱＩを推定するために識別される、第２の参照サブフレーム・タイプである次のＣＱＩサブフレーム及び次の対応するランク・インジケータがＳＲＰＩを用いて識別される。
【００９２】
本開示の別の態様において、複数の独立した周期的推定及び報告エンジンが定められる。これらの複数の独立した推定及び報告エンジンは、標準の設定ユーティリティにおける情報要素（ＩＥ）として提供されうる。レガシＵＥの場合、Ｒｅｌ−８に従って構成されたそのようなＵＥは、第２の推定及び報告エンジンが無視されることになる。複数の推定及び報告エンジンは、同一のパラメータを割り当てられることになるが、それらのパラメータの値は異なりうる。例えばそれらは、異なる周期、異なるオフセット等を有することができる。推定及び報告エンジンはまた、独立及び並行するように定められうる。従ってＵＥは、両方のエンジンを同時に用いるであろう。報告手順は一般に、複数のエンジンが同時に実行している場合を除き、少なくともＲｅｌ−８において定義されたように発生するであろう。更に、ＣＱＩ推定値は、同一のエンジンによって推定及び報告された最後に報告されたランク・インジケータにおいて調整される。
【００９３】
動作中、ｅＮＢは、１つのエンジンにおいて報告されたランク・インジケータがクリーン・インタレースを参照し、別のエンジンにおいて報告されたランク・インジケータが非クリーン・インタレースを参照するように、推定及び報告エンジンを設定する。ｅＮＢは特定の周期及びオフセットを用いて各推定及び報告エンジンを設定することができるので、ＵＥは、例えばＳＲＰＩ情報、ブラインド復号等を通してクリーン・サブフレーム及び非クリーン・サブフレームのロケーションを知る必要がない。ランク・インジケータの周期は、８ｍｓの倍数として割り当てられるべきであり、実際は、かなり大きく（例えば、４０ｍｓ、８０ｍｓ等に）なりうる。また、ＣＱＩ報告のために割り当てられた周期に依存して、ＣＱＩは、クリーンと非クリーンとを交互に用いることができる。この説明された例において、１つのエンジンはクリーン・サブフレームのみに関して設定され、もう１つのエンジンは非クリーン・サブフレームに関して設定されうるので、これは、いくつかのＣＱＩが不一致であることを意味する。不一致のＣＱＩを報告する可能性を回避するために、ＣＱＩのための報告周期は、８ｍｓ又は８ｍｓの倍数に設定されうる。
【００９４】
図１２は、本開示の１つの態様を実現するために実行されるブロック例を示す機能ブロック図である。ブロック１２００において、リソースに関連付けられたチャネル・プロパティを報告するためにパラメータ値がＵＥにおいて受信される。ブロック１２０１において、第１のチャネル・プロパティに関するチャネル・プロパティの第１のセットが推定され、この場合推定は、受信されたパラメータ値の第１のセットを用いる。ブロック１２０２において、第２のチャネル・プロパティに関するチャネル・プロパティの第２のセットが推定され、この場合推定は、受信されたパラメータ値の第２のセットを用い、チャネル・プロパティの第１のセットの推定と第２のセットとの推定は、並行して実行される。ブロック１２０３において、推定されたチャネル・プロパティが、関連付けられたｅＮＢへ送信される。
【００９５】
図１３は、本開示の１つの態様に従って構成されたＵＥ１２０を概念的に示すブロック図である。ＵＥ１２０は、ＵＥ１２０の機能態様を動作、実行、及び管理するコントローラ／プロセッサ５８０を含む。ＵＥ１２０は、チャネル・プロパティ報告モジュール１３００に関連付けられた複数のパラメータ値１３０２乃至１３０４を受信するための手段を提供するアンテナ１３０６を含む。チャネル・プロパティ報告モジュール１３００は、各々が、例えばランク・インジケータ推定値、ＣＱＩ、ＰＭＩ等のようなチャネル・プロパティ測定をスケジュール及び報告する複数の定期報告エンジンを提供する。パラメータ値１３０２乃至１３０４は、チャネル・プロパティ報告モジュール１３００の個々のモジュールの各々について、周期性、オフセット等をセットアップするための、パラメータの複数のセットである。コントローラ／プロセッサ５８０は、各モジュールを構成するための入力としてパラメータ値１３０２乃至１３０４を用いてチャネル・プロパティ報告モジュール１３００を同時に実行し、それによって、パラメータ値１３０２乃至１３０４を用いてチャネル・プロパティ報告モジュール１３００を同時に実行するための手段を提供する。個々の設定に基づいて、ＵＥ１２０は、測定及び推定モジュール１３０１の実行によって、チャネル・プロパティ測定及び推定を実行する。チャネル・プロパティ報告モジュール１３００の結果であるチャネル・プロパティが測定及び推定されると、チャネル・プロパティは、チャネル・プロパティ報告送信機１３０５及びアンテナ１３０６の実行を通して送信される。アンテナ１３０６とともにチャネル・プロパティ報告送信機１３０５を実行することにより、推定されたチャネル・プロパティをｅＮＢへ送信するための手段が提供される。
【００９６】
図１４は、本開示の１つの態様に従って構成されたｅＮＢ１１０を概念的に示すブロック図である。ｅＮＢ１１０は、ｅＮＢ１１０の機能態様を動作、実行、及び管理するコントローラ／プロセッサ５４０を含む。ｅＮＢ１１０によってサービス提供されている各ＵＥについてスケジューリングする際、コントローラ／プロセッサ５４０は、チャネル・プロパティ報告スケジューラ１４００を実行する。チャネル・プロパティ報告スケジューラ１４００の実行は、チャネル・プロパティを測定、推定、及び報告するために、例えばチャネル・プロパティ報告モジュール１３００（図１３）のような複数の定期報告エンジンのためのスケジューリング・パラメータを決定する。チャネル・プロパティ報告スケジューラ１４００は、送信ストリームにおける特定のサブフレームにおいてどの報告エンジンが測定及び推定するべきかを決定する。従ってチャネル・プロパティ報告スケジューラ１４００は、そのようなチャネル・プロパティを測定、推定、及びｅＮＢ１１０へ報告するために用いるための複数のＵＥ報告エンジンについて、スケジューリング・パラメータ値、パラメータ値１３０２乃至１３０４の複数のセットをコンパイルするための手段を提供する。ｅＮＢ１１０はまた、アンテナ１４０１を含む。チャネル・プロパティ報告スケジューラ１４００によってパラメータ値１３０２乃至１３０４がコンパイルされると、アンテナ１４０１は、そのようなパラメータ値１３０２乃至１３０４を、関連付けられたＵＥへ送信するための手段を提供する。
【００９７】
図１５は、本開示の１つの態様に従って構成された無線通信ネットワーク１５００を概念的に示すブロック図である。無線通信ネットワーク１５００は、マクロ基地局１５０１と２つのフェムト基地局１５０２及び１５０３とを有する異種ネットワークとして示される。ＵＥ１５０４及び１５０４は両方とも、マクロ基地局１５０１のセル範囲内で動作する。ＵＥ１５０４は、高度な機能を有する新型ＵＥであるが、ＵＥ１５０５は、古い特徴及び機能を有するレガシＵＥである。マクロ基地局１５０１は、自身がサービス提供する各ＵＥ内の複数の定期報告エンジンをドライブするように意図されたパラメータ値の複数のセットを生成する。マクロ基地局１５０１は、それらパラメータ値の複数のセットを関連付けられたＵＥへ送信するであろう。このようにパラメータ値の複数のセットは、ＵＥ１５０４内の複数の報告エンジンについて複数の推定及び報告をスケジュールするために、ＵＥ１５０４へ送信される。パラメータ値の複数のセットはＵＥ１５０５へも送信され、ＵＥ１５０５内の複数の報告エンジンへの入力としても意図されている。しかしレガシＵＥの場合、ＵＥ１５０５は、報告エンジンの複数のセットを有していない。そのような場合、ＵＥ１５０５は、追加の報告エンジンのために送信されたパラメータ値を無視し、自身の単一の報告エンジンのためのパラメータ値の１つのセットしか用いない。
【００９８】
動作中、ＵＥ１５０４は、例えばランク・インジケータ、ＣＱＩ、ＰＭＩ等のような、チャネル・プロパティの複数の測定値及び推定値を生成する。マクロ基地局１５０１から送信されたパラメータ値は、報告エンジンのうちの１つにクリーン・インタレースについて測定及び推定させ、別の報告エンジンに非クリーン・インタレースについて測定及び推定させるオフセット及び周期を提供する。しかしＵＥ１５０４は単に、自身の報告エンジンを実行し、どのインタレースがクリーン又は非クリーンであるかを知る必要なく動作する。このプロパティは、マクロ基地局１５０１を介してネットワークによって全面的に設定される。
【００９９】
いくつかの実施形態において、パラメータ値の結果、複数の報告エンジンが同時に報告するようにスケジュールされた瞬間が生じうる。そのような瞬間、そのサブフレーム中に単一のチャネル・プロパティしか報告されない。マクロ基地局１５０１又はＵＥ１５０４は、どの報告エンジンからどのチャネル・プロパティを送信するか決定することができる。１つの態様において、ＵＥ１５０４は、特定の報告エンジンから推定されたチャネル・プロパティを常に送信するように構成されうる。他の実施形態において、ＵＥ１５０４は、クリーン・インタレースのチャネル・プロパティを常に送信するように構成されうる。本開示の様々な態様は、そのようなコリジョンを解決するための任意の単一の手段に限定されない。
【０１００】
本開示の別の態様において、ランク・インジケータ全てが、クリーン・サブフレームを参照するように構成される。これは、８ｍｓの倍数である報告期間を、クリーン・インタレースを示す適切なオフセットとともに割り当てることによって達成されうる。ＣＱＩ期間は、全てのインタレースが対処されるように割り当てられる（例えば、５ｍｓ）。非クリーン・サブフレームに関するランク・インジケータは、クリーン・サブフレームに関するランク・インジケータ以下になるので、ｅＮＢは、報告されたＣＱＩに関する仮定をすることができる。例えば報告されたクリーン・ランク・インジケータが１に等しい場合、非クリーン・ランク・インジケータも１になるであろう。従ってｅＮＢは、そのような報告されたＣＱＩの全てが一致すると仮定することが可能になる。
【０１０１】
しかし、クリーン・ランク・インジケータが１よりも大きい場合、非クリーン・ランク・インジケータを知ることはないので、報告されたＣＱＩは不一致となりうる。例えばクリーン・ランク・インジケータが２である場合、非クリーン・ランク・インジケータは２又は１のいずれであることもできる。従ってｅＮＢは、非クリーン・ランク・インジケータが何かを知らない。ｅＮＢは、未知のランク・インジケータからの調整されたＣＱＩを複数の方法で処理することができる。例えばｅＮＢは、非クリーン・ランク・インジケータが常にクリーン・ランク・インジケータと等しいと常に仮定することができる。この例において、報告されたＣＱＩ全てが、仮定によって一致することになる。この場合、ｅＮＢがサブフレーム・タイプに依存して複数のＣＱＩバックオフ・ループを用いると性能が向上しうる。別の例において、ｅＮＢは、非クリーン・ランク・インジケータが常に１に等しいと仮定することができる。このシナリオにおいて、ｅＮＢは、報告された不一致の／非クリーンなＣＱＩにバイアスを適用する、あるいは複数のＣＱＩバックオフ・ループを適用することができる。更なる例において、ｅＮＢは、非クリーン・サブフレームにおける非周期的なＣＱＩフィードバックを定期的に要求することができる。このシナリオにおいて、ｅＮＢは、追加の仮定のために用いられうる非クリーン・サブフレームのための実際のランク・インジケータ情報を取得するであろう。
【０１０２】
図１６は、本開示の１つの態様を実現するために実行されるブロック例を示す機能ブロック図である。ブロック１６００において、第１の参照サブフレーム・タイプのサブフレームのみについてランク・インジケータを報告するようにＵＥに指示するＲＩ割当てが受信される。ブロック１６０１において、ＣＱＩ報告のための周期割当てが受信され、この周期割当ての結果、全てのインタレースにおいてＣＱＩ報告が生じる。ブロック１６０２において、第１の参照サブフレーム・タイプのランク・インジケータの値は、ＣＱＩ推定値が調整される第２の参照サブフレーム・タイプのランク・インジケータの未知の値を示すことが決定される。第１のオプショナル・ブロック１６０３−Ａにおいて、第２の参照サブフレーム・タイプのランク・インジケータの値は、第１の参照サブフレーム・タイプのＲＩの値に等しく設定される。第２のオプショナル・ブロック１６０３−Ｂにおいて、第２の参照サブフレーム・タイプのランク・インジケータの値は、選択された一定値に等しく設定される。
【０１０３】
本開示の更なる態様において、ＵＥは、ＣＲＳ−ＩＣ対応である。この態様は、サービス提供セルにおけるＣＲＳ−ＣＲＳコリジョンが存在する場合に適用する。説明されたタイプのＵＥは、自身のセルが他のどのセルを調整するかを知ることができる。これは、ＵＥが検出することができる最も強く干渉しているセルか、ＲＲＣシグナリングを通して又はその他にかかわらず、サブフレーム分割を含む、調整が進行しているセルに関してｅＮＢがＵＥに通知することができるかのいずれかであることができる。この情報は頻繁に変化しないので、ｅＮＢとＵＥとの間のシグナリングは問題にならないだろう。本開示のこの態様の目的のために、干渉しているセルは、サービス提供セルと同じＣＲＳオフセットを有する。更に、ＵＥは、ＵＥによって除去されうる任意の干渉を再び追加することによって、クリーンＣＱＩ又は非クリーンＣＱＩを取得するかランク・インジケータを取得するかを決定することができる。
【０１０４】
ここで説明される態様において、ランク・インジケータ報告及びＣＱＩ報告の両方が、推定のために用いられたサブフレームにかかわらず、クリーン・サブフレームと非クリーン・サブフレームとを交互に用いる。ＵＥは、自身の主なブロードキャスト信号（例えば、ＰＳＳ／ＳＳＳ）を検出するために、ＵＥにとって十分強い任意の干渉しているセルのＣＲＳ干渉を除去することができるので、ＵＥが、クリーンなランク・インジケータ又はＣＱＩのための推定を実行するために非クリーン・サブフレームを選択した場合、ＵＥは簡単に非クリーン・サブフレームにおけるＣＲＳ干渉を除去し、新たな「クリーンにされた」バージョンを用いることができる。そのように、ここで説明される態様においてＣＲＳコリジョンが想定されるので、特定のサブフレームがクリーンであるか非クリーンであるかは重要な問題ではない。ＵＥは、クリーン及び非クリーンなＣＱＩ又はランク・インジケータの両方に等しくＣＲＳ−ＩＣを実行することになる。更に、ＵＥが非クリーンな推定を実行する場合、非クリーンなＣＱＩ又はランク・インジケータを推定するために、除去されたＣＲＳ干渉が再び追加されうる。更に、特定の周期を用いる必要はない。交互の報告によって実際の周期は実際は二倍されるので、小さな周期値がｅＮＢによって考慮されるべきである。ここで説明される態様はまた、ＣＱＩ関連ＲＲＣシグナリングの任意の変更を必要としないであろう。ｅＮＢ及びＵＥは、どの報告がクリーンでありどの報告が非クリーンであるかに同意するであろう。
【０１０５】
例えば非クリーンな報告よりも多くのクリーンな報告を必要とする等のような、より複雑な報告方法が望まれる選択された更なる態様において、特定のパターンの報告が行われるように指定するために、いくつかの追加のシグナリングが定められうることが留意されるべきである。
【０１０６】
ＵＥが、自身のセル内で協働している２つの強い干渉者のカバレージの下にあるという上述した態様のシチュエーションにおいて、ＵＥは、４つのオプション（すなわち、両方のサブフレームがクリーン、１つめがクリーンで２つめが非クリーン、１つめが非クリーンで２つめがクリーン、及び両方が非クリーン）の各々を通ることができることが更に留意されるべきである。どの組み合わせを実行するかの決定を容易にするために追加のシグナリングが定められうる。
【０１０７】
図１７は、本開示の態様において実現するために実行されるブロック例を示す機能ブロック図である。ブロック１７００において、第１の参照サブフレーム・タイプと第２の参照サブフレーム・タイプとの間でＲＩ報告及びＣＱＩ報告を交互に入れ替えるようにＵＥに指示する割当てが受信される。ブロック１７０１において、ＲＩ又はＣＱＩの推定のためにサブフレームが選択される。ブロック１７０２において、選択されたサブフレームにおいて干渉が除去される。ブロック１７０３において、推定が第１の参照サブフレーム・タイプに関するかの判定が行われる。そうでなければ、ブロック１７０４において、サブフレームが第２の参照サブフレーム・タイプであることに応答して干渉が除去された後、ＲＩ又はＣＱＩが推定される。推定が第１の参照サブフレーム・タイプに関する場合、ブロック１７０５において、サブフレームが第２の参照サブフレーム・タイプであることに応答して、除去された干渉がサブフレームに再追加される。その後、ブロック１７０６において、ＲＩ又はＣＱＩが推定される。
【０１０８】
当業者は、情報及び信号が、様々な異なる技術及び技法のうちのいずれを用いても表されうることを理解するであろう。例えば、上記説明を通して参照されうるデータ、命令、コマンド、情報、信号、ビット、シンボル、及びチップは、電圧、電流、電磁波、磁場あるいは磁気粒子、光場あるいは光学粒子、又はそれらの任意の組み合わせによって表されうる。
【０１０９】
図８、１０乃至１２、及び１５乃至１７における機能ブロック及びモジュールは、プロセッサ、電子デバイス、ハードウェア・デバイス、電子部品、論理回路、メモリ、ソフトウェア・コード、ファームウェア・コード等、又はそれらの任意の組み合わせを備えることができる。
【０１１０】
当業者は更に、本明細書における開示に関連して説明された様々な例示的な論理ブロック、モジュール、回路、及びアルゴリズム・ステップが、電子工学的ハードウェア、コンピュータ・ソフトウェア、又は両者の組み合わせとして実現されうることを理解するであろう。このハードウェアとソフトウェアとの相互置換性を明確に示すために、様々な例示的な構成要素、ブロック、モジュール、回路、及びステップが、それらの機能の観点から一般的に説明された。そのような機能がハードウェアとして実現されるかソフトウェアとして実現されるかは、特定のアプリケーション及びシステム全体に課された設計制約に依存する。当業者は、各特定のアプリケーションのための様々な方法で上記機能を実現することができるが、そのような実現の決定は、本開示の範囲から逸脱させるものとして解釈されるべきではない。
【０１１１】
本明細書における開示に関連して説明された様々な例示的な論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）又は他のプログラマブル論理デバイス、ディスクリート・ゲートあるいはトランジスタ・ロジック、ディスクリート・ハードウェア部品、又は、本明細書で説明された機能を実行するように設計されたそれらの任意の組み合わせを用いて実現又は実行されうる。汎用プロセッサとしてマイクロプロセッサを用いることができるが、代わりに、任意の従来型プロセッサ、コントローラ、マイクロコントローラ、又はステート・マシンを用いることもできる。プロセッサはまた、例えばＤＳＰとマイクロプロセッサとの組み合わせ、複数のマイクロプロセッサ、ＤＳＰコアに接続された１つ又は複数のマイクロプロセッサ、又は他の任意のそのような構成といったコンピュータ・デバイスの組み合わせとして実現されることもできる。
【０１１２】
本明細書と関連して説明された方法又はアルゴリズムのステップは、ハードウェアによって直接、プロセッサによって実行されるソフトウェア・モジュールによって、又は両者の組み合わせによって具現化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、又は、当該技術において周知である他の任意の形式の記憶媒体に収納されうる。典型的な記憶媒体は、プロセッサがそこから情報を読み取り、またそこへ情報を書き込むことができるように、プロセッサに結合される。あるいは記憶媒体は、プロセッサに統合されうる。プロセッサ及び記憶媒体は、ＡＳＩＣ内に収納されうる。ＡＳＩＣは、ユーザ端末内に存在することができる。あるいはプロセッサ及び記憶媒体は、ユーザ端末内の別々の部品として存在することができる。
【０１１３】
１つ又は複数の典型的な設計において、説明された機能は、ハードウェア、ソフトウェア、ファームウェア、又はそれらの任意の組み合わせによって実現されうる。ソフトウェアによる実現の場合、機能は、コンピュータ読取可能媒体上の１つ又は複数の命令又はコードとして送信又は格納されうる。コンピュータ読取可能媒体は、１つの場所から別の場所へのコンピュータ・プログラムの転送を容易にする任意の媒体を含む通信媒体と持続性コンピュータ記憶媒体との両方を含む。持続性記憶媒体は、汎用コンピュータ又は専用コンピュータによってアクセスすることができる任意の利用可能な媒体であることができる。限定ではなく一例として、そのような持続性コンピュータ読取可能媒体は、ＲＡＭ、ＲＯＭ、ＥＥＰＲＯＭ、ＣＤ−ＲＯＭあるいは他の光学ディスク記憶媒体、磁気ディスク記憶媒体あるいは他の磁気記憶デバイス、又は、情報又はデータ構成の形式で所望のプログラム・コード手段を格納するために用いることができ、汎用コンピュータ又は専用コンピュータあるいは汎用プロセッサ又は専用プロセッサによってアクセスすることができる任意の他の媒体を備えることができる。また、任意の接続が、適宜、コンピュータ読取可能媒体と称される。例えば、ソフトウェアが、ウェブサイト、サーバ、又は他の遠隔ソースから、同軸ケーブル、光ファイバ・ケーブル、ツイスト・ペア、デジタル加入者線（ＤＳＬ）、又は例えば赤外線、ラジオ、及びマイクロ波のような無線技術を用いて送信される場合、同軸ケーブル、光ファイバ・ケーブル、ツイスト・ペア、ＤＳＬ、又は例えば赤外線、ラジオ、及びマイクロ波のような無線技術は、媒体の定義に含まれる。ディスク（disk）及びディスク（disc）は、本明細書で用いられる場合、コンパクト・ディスク（disc）（ＣＤ）、レーザ・ディスク（disc）、光学ディスク（disc）、デジタル・バーサタイル・ディスク（disc）（ＤＶＤ）、フロッピー（登録商標）ディスク（disk）、及びブルーレイ（登録商標）ディスク（disc）を含み、ディスク（disk）が通常データを磁気的に再生するのに対し、ディスク（disc）はレーザを用いてデータを光学的に再生する。上記の組み合わせもまた、コンピュータ読取可能媒体の範囲に含まれるべきである。
【０１１４】
本開示の上記説明は、当業者をして、本開示の製造又は利用を可能とするために提供される。本開示に対する様々な改良が当業者には容易に明らかとなり、本明細書で定義された一般原理は、本開示の主旨又は範囲から逸脱することなく他の変形例に適用されうる。従って本開示は、本明細書で説明された例及び設計に限定されることは意図されておらず、本明細書に開示された原理及び新規特徴と整合が取れた最も広い範囲と一致するように意図されている。
【図１】
2013542672.tif 000004
【図２】
2013542672.tif 000005
【図３】
2013542672.tif 000006
【図４】
2013542672.tif 000007
【図５】
2013542672.tif 000008
【図６】
2013542672.tif 000009
【図７】
2013542672.tif 000010
【図８】
2013542672.tif 000011
【図９】
2013542672.tif 000012
【図１０】
2013542672.tif 000013
【図１１】
2013542672.tif 000014
【図１２】
2013542672.tif 000015
【図１３】
2013542672.tif 000016
【図１４】
2013542672.tif 000017
【図１５】
2013542672.tif 000018
【図１６】
2013542672.tif 000019
【図１７】
2013542672.tif 000020
【国際調査報告】
2013542672.tif 000021
2013542672.tif 000022
2013542672.tif 000023
2013542672.tif 000024
2013542672.tif 000025